(57)【特許請求の範囲】
【請求項１】
コンポジット信号を受信するための無線デバイスであって、
アンテナと、
前記アンテナに結合された第１の増幅器と、
前記アンテナに結合された第２の増幅器と、
第１の受信機と、
第２の受信機と、
前記第１の受信機を、前記第１の増幅器あるいは前記第２の増幅器のどちらかの出力に結合させる第１のスイッチと、
前記第２の受信機を、前記第１の増幅器あるいは前記第２の増幅器のどちらかの出力に結合させる第２のスイッチと
を備え、
前記第１の増幅器からの第１の信号が第１のしきい値未満で、前記第２の増幅器からの第２の信号が第２のしきい値未満であるとき、前記第１のスイッチは、前記第１の受信機入力を前記第１の増幅器の出力に接続し、前記第２のスイッチは、前記第２の受信機入力を前記第１の増幅器の出力に接続し、
前記第１の信号が前記第１のしきい値を超え、前記第２の信号が前記第２のしきい値を超えるとき、前記第１のスイッチは、前記第１の受信機入力を前記第２の増幅器の出力に接続し、前記第２のスイッチは、前記第２の受信機入力を前記第２の増幅器の出力に接続し、
前記第１の信号が前記第１のしきい値未満で、前記第２の信号が前記第２のしきい値を超えるとき、前記第１のスイッチは、前記第１の受信機入力を前記第１の増幅器の出力に接続し、前記第２のスイッチは、前記第２の受信機入力を前記第２の増幅器の出力に接続し、
前記第１の信号が前記第１のしきい値を超え、前記第２の信号が前記第２のしきい値未満であるとき、前記第１のスイッチは、前記第１の受信機入力を前記第２の増幅器の出力に接続し、前記第２のスイッチは、前記第２の受信機入力を前記第１の増幅器の出力に接続し、
前記第１の受信機入力は、無線ローカルエリアネットワーク（ＷＬＡＮ）受信機入力であり、前記第２の受信機入力は、Ｂｌｕｅｔｏｏｔｈ（登録商標）受信機入力である、無線デバイス。
【請求項２】
前記アンテナと前記第２の増幅器との間の結合器をさらに備え、前記結合器は前記第１の増幅器の性能や感度を実質的に劣化させないいくらかの損失を有する、請求項１に記載の無線デバイス。
【請求項３】
前記結合器は１つまたは複数の受動デバイスおよび／あるいは能動デバイスを備える、請求項２に記載の無線デバイス。
【請求項４】
前記受動デバイスおよび／あるいは能動デバイスはコントローラによって再構成可能であり、前記結合器における損失量はプログラム可能である、請求項３に記載の無線デバイス。
【請求項５】
前記受動デバイスおよび／あるいは能動デバイスは制御信号によって制御され、前記損失量は前記制御信号によってプログラムされる、請求項３に記載の無線デバイス。
【請求項６】
スイッチコントローラをさらに備え、前記スイッチコントローラは前記第１のスイッチおよび前記第２のスイッチを制御する、請求項１に記載の無線デバイス。
【請求項７】
前記スイッチコントローラはアナログ部分あるいはベースバンド部分のどちらかの中にある、請求項６に記載の無線デバイス。
【請求項８】
前記スイッチコントローラはプログラム可能である請求項６に記載の無線デバイス。
【請求項９】
コンポジット信号が、同一信号帯域内において、第１の無線規格に基づく第１の無線信号および第２の無線規格に基づく第２の無線信号を備える、請求項８に記載の無線デバイス。
【請求項１０】
前記第１の無線信号はＢｌｕｅｔｏｏｔｈ信号であり、前記第２の無線信号は無線ローカルエリアネットワーク（ＷＬＡＮ）信号であり、前記第１の受信機はＷＬＡＮ受信機であり、前記第２の受信機はＢｌｕｅｔｏｏｔｈ受信機である、請求項９に記載の無線デバイス。
【請求項１１】
前記スイッチコントローラは前記ＷＬＡＮ受信機の出力に結合され、前記ＷＬＡＮ受信機の出力はＷＬＡＮしきい値と比較され、前記第１のスイッチは前記ＷＬＡＮ受信機の出力が前記ＷＬＡＮしきい値に満たない場合に前記ＷＬＡＮ受信機を前記第１の増幅器の出力に結合させる、請求項１０に記載の無線デバイス。
【請求項１２】
前記スイッチコントローラは前記ＷＬＡＮ受信機の出力に結合され、前記ＷＬＡＮ受信機の出力はＷＬＡＮしきい値と比較され、前記第１のスイッチは前記ＷＬＡＮ受信機の出力が前記ＷＬＡＮしきい値を越える場合に前記ＷＬＡＮ受信機を前記第２の増幅器の出力に結合させる、請求項１０に記載の無線デバイス。
【請求項１３】
前記スイッチコントローラは前記Ｂｌｕｅｔｏｏｔｈ受信機の出力に結合され、前記Ｂｌｕｅｔｏｏｔｈ受信機の出力はＢｌｕｅｔｏｏｔｈしきい値と比較され、前記第２のスイッチは前記Ｂｌｕｅｔｏｏｔｈ受信機の出力が前記Ｂｌｕｅｔｏｏｔｈしきい値に満たない場合に前記Ｂｌｕｅｔｏｏｔｈ受信機を前記第１の増幅器の出力に結合させる、請求項１０に記載の無線デバイス。
【請求項１４】
前記スイッチコントローラは前記Ｂｌｕｅｔｏｏｔｈ受信機の出力に結合され、前記Ｂｌｕｅｔｏｏｔｈ受信機の出力はＢｌｕｅｔｏｏｔｈしきい値と比較され、前記第２のスイッチは前記Ｂｌｕｅｔｏｏｔｈ受信機の出力が前記Ｂｌｕｅｔｏｏｔｈしきい値を越える場合に前記Ｂｌｕｅｔｏｏｔｈ受信機を前記第２の増幅器の出力に結合させる、請求項１０に記載の無線デバイス。
【請求項１５】
前記ＷＬＡＮ受信機は、
低雑音増幅器（ＬＮＡ）、ミキサ、プログラム可能利得増幅器（ＰＧＡ）、およびフィルタを備えるＷＬＡＮ復号器と、
アナログ／デジタル変換機（ＡＤＣ）を備えるベースバンドフィルタと
を備える、請求項１０に記載の無線デバイス。
【請求項１６】
前記Ｂｌｕｅｔｏｏｔｈ受信機は、
低雑音増幅器（ＬＮＡ）、ミキサ、プログラム可能利得増幅器（ＰＧＡ）、およびフィルタを備えるＢｌｕｅｔｏｏｔｈ復号器と、
アナログ／デジタル変換機（ＡＤＣ）を備えるベースバンドフィルタと
を備える、請求項１０に記載の無線デバイス。
【請求項１７】
アンテナを用いてコンポジット信号を受信するための方法であって、
前記コンポジット信号の第１の部分のための第１のスイッチ設定を決定することと、
第１の受信機入力信号を取得するために、前記第１のスイッチ設定を用いて前記コンポジット信号を増幅することと、
第１の受信機を用いて前記第１の受信機入力信号から第１の信号を復号することと、
前記コンポジット信号の第２の部分のための第２のスイッチ設定を決定することと、
第２の受信機入力信号を取得するために、前記第２の前記スイッチ設定を用いて前記コンポジット信号を増幅することと、
第２の受信機を用いて前記第２の受信機入力信号から第２の信号を復号することと、
前記第１の増幅器からの第１の信号が第１のしきい値未満で、前記第２の増幅器からの第２の信号が第２のしきい値未満であるとき、前記第１のスイッチは、前記第１の受信機入力を前記第１の増幅器の出力に接続し、前記第２のスイッチは、前記第２の受信機入力を前記第１の増幅器の出力に接続することと、
前記第１の信号が前記第１のしきい値を超え、前記第２の信号が前記第２のしきい値を超えるとき、前記第１のスイッチは、前記第１の受信機入力を前記第２の増幅器の出力に接続し、前記第２のスイッチは、前記第２の受信機入力を前記第２の増幅器の出力に接続することと、
前記第１の信号が前記第１のしきい値未満で、前記第２の信号が前記第２のしきい値を超えるとき、前記第１のスイッチは、前記第１の受信機入力を前記第１の増幅器の出力に接続し、前記第２のスイッチは、前記第２の受信機入力を前記第２の増幅器の出力に接続することと、
前記第１の信号が前記第１のしきい値を超え、前記第２の信号が前記第２のしきい値未満であるとき、前記第１のスイッチは、前記第１の受信機入力を前記第２の増幅器の出力に接続し、前記第２のスイッチは、前記第２の受信機入力を前記第１の増幅器の出力に接続することと
を備え、前記第１の受信機入力は、無線ローカルエリアネットワーク（ＷＬＡＮ）受信機入力であり、前記第２の受信機入力は、Ｂｌｕｅｔｏｏｔｈ受信機入力である、方法。
【請求項１８】
前記コンポジット信号はＢｌｕｅｔｏｏｔｈ信号および無線ローカルエリアネットワーク（ＷＬＡＮ）信号を備え、前記第１の受信機はＷＬＡＮ受信機であり、前記第２の受信機はＢｌｕｅｔｏｏｔｈ受信機である、請求項１７に記載の方法。
【請求項１９】
前記第１の信号をスイッチコントローラにフィードバックすることをさらに備える請求項１７に記載の方法。
【請求項２０】
前記スイッチコントローラはアナログ部分あるいはベースバンド部分のどちらかの中にある、請求項１９に記載の方法。
【請求項２１】
前記スイッチコントローラはプログラム可能である、請求項１９に記載の方法。
【請求項２２】
前記第１のスイッチ設定は無線ローカルエリアネットワーク（ＷＬＡＮ）スイッチ設定であり、前記コンポジット信号の第１の部分は前記コンポジット信号のＷＬＡＮ部分であり、前記第１の受信機入力信号はＷＬＡＮ受信機入力信号であり、前記第２のスイッチ設定はＢｌｕｅｔｏｏｔｈスイッチ設定であり、前記コンポジット信号の第２の部分は前記コンポジット信号のＢｌｕｅｔｏｏｔｈ部分であり、前記第２の受信機入力信号はＢｌｕｅｔｏｏｔｈ受信機入力信号であり、前記第２の信号はＢｌｕｅｔｏｏｔｈ信号である、請求項１８に記載の方法。
【請求項２３】
前記コンポジット信号を増幅することは、第１の増幅器あるいは第２の増幅器のどちらかを用いて前記コンポジット信号を増幅することを備える、請求項２２に記載の方法。
【請求項２４】
前記第１の増幅器は前記アンテナに結合され、前記第２の増幅器は前記アンテナに結合される、請求項２３に記載の方法。
【請求項２５】
前記ＷＬＡＮスイッチ設定は信号経路あるいは方向を制御しうるデバイスの位置を備え、前記デバイスは前記ＷＬＡＮ受信機を前記第１の増幅器あるいは前記第２の増幅器のどちらかの出力に結合させる、請求項２３に記載の方法。
【請求項２６】
前記デバイスはスイッチであり、ＷＬＡＮスイッチ設定を決定することはフィードバックＷＬＡＮ信号をＷＬＡＮしきい値と比較することを備え、前記フィードバックＷＬＡＮ信号は復号されたＷＬＡＮ信号であり、前記スイッチは前記復号されたＷＬＡＮ信号が前記ＷＬＡＮしきい値に満たない場合にＷＬＡＮ受信機入力を前記第１の増幅器の出力に結合する、請求項２５に記載の方法。
【請求項２７】
前記デバイスはスイッチであり、ＷＬＡＮスイッチ設定を決定することはフィードバックＷＬＡＮ信号をＷＬＡＮしきい値と比較することを備え、前記フィードバックＷＬＡＮ信号は復号されたＷＬＡＮ信号であり、前記スイッチは前記復号されたＷＬＡＮ信号が前記ＷＬＡＮしきい値を越える場合にＷＬＡＮ受信機入力を前記第２の増幅器の出力に結合する、請求項２５に記載の方法。
【請求項２８】
前記コンポジット信号のＷＬＡＮ部分を復号することは、
前記ＷＬＡＮ受信機入力信号を増幅することと、
前記ＷＬＡＮ受信機入力信号をダウンコンバートすることと、
前記ＷＬＡＮ受信機入力信号をフィルタすることと
を備える、請求項２２に記載の方法。
【請求項２９】
前記第２のスイッチ設定はＢｌｕｅｔｏｏｔｈスイッチ設定であり、前記Ｂｌｕｅｔｏｏｔｈスイッチ設定は信号経路あるいは方向を制御しうるデバイスの位置を備え、前記デバイスはＢｌｕｅｔｏｏｔｈ受信機を前記第１の増幅器あるいは前記第２の増幅器のどちらかの出力に結合させる、請求項２３に記載の方法。
【請求項３０】
前記デバイスはスイッチであり、Ｂｌｕｅｔｏｏｔｈスイッチ設定を決定することはフィードバックＢｌｕｅｔｏｏｔｈ信号をＢｌｕｅｔｏｏｔｈしきい値と比較することを備え、前記フィードバックＢｌｕｅｔｏｏｔｈ信号は復号されたＢｌｕｅｔｏｏｔｈ信号であり、前記スイッチは前記復号されたＢｌｕｅｔｏｏｔｈ信号が前記Ｂｌｕｅｔｏｏｔｈしきい値に満たない場合にＢｌｕｅｔｏｏｔｈ受信機入力を前記第１の増幅器の出力に結合させる、請求項２９に記載の方法。
【請求項３１】
前記デバイスはスイッチであり、Ｂｌｕｅｔｏｏｔｈスイッチ設定を決定することはフィードバックＢｌｕｅｔｏｏｔｈ信号をＢｌｕｅｔｏｏｔｈしきい値と比較することを備え、前記フィードバックＢｌｕｅｔｏｏｔｈ信号は復号されたＢｌｕｅｔｏｏｔｈ信号であり、前記スイッチは前記復号されたＢｌｕｅｔｏｏｔｈ信号が前記Ｂｌｕｅｔｏｏｔｈしきい値を越える場合にＢｌｕｅｔｏｏｔｈ受信機入力を前記第２の増幅器の出力に結合させる、請求項２９に記載の方法。
【請求項３２】
Ｂｌｕｅｔｏｏｔｈ信号を復号することは、
前記Ｂｌｕｅｔｏｏｔｈ受信機入力信号を増幅することと、
前記Ｂｌｕｅｔｏｏｔｈ受信機入力信号をダウンコンバートすることと、
前記Ｂｌｕｅｔｏｏｔｈ受信機入力信号をフィルタすることと
を備える、請求項２２に記載の方法。
【請求項３３】
前記Ｂｌｕｅｔｏｏｔｈ信号を信号コントローラにフィードバックすることをさらに備える請求項２０に記載の方法。
【請求項３４】
前記第２の増幅器は結合器によって前記アンテナに結合され、前記結合器は前記第１の増幅器の性能や感度を実質的に劣化させないいくらかの損失を有する、請求項２３に記載の方法。
【請求項３５】
前記結合器は１つまたは複数の受動デバイスおよび／あるいは能動デバイスを備える、請求項３４に記載の方法。
【請求項３６】
単一のアンテナを用いてコンポジット信号を受信するための装置であって、
前記コンポジット信号の第１の部分のための第１のスイッチ設定を決定する手段と、
第１の受信機入力信号を取得するために、前記第１のスイッチ設定を用いて前記コンポジット信号を増幅する手段と、
前記第１の受信機入力信号から第１の信号を復号する手段と、
前記コンポジット信号の第２の部分のための第２のスイッチ設定を決定する手段と、
第２の受信機入力信号を取得するために、前記第２のスイッチ設定を用いて前記コンポジット信号を増幅する手段と、
前記第２の受信機入力信号から第２の信号を復号する手段と、
前記第１の増幅器からの第１の信号が第１のしきい値未満で、前記第２の増幅器からの第２の信号が第２のしきい値未満であるとき、前記第１のスイッチは、前記第１の受信機入力を前記第１の増幅器の出力に接続し、前記第２のスイッチは、前記第２の受信機入力を前記第１の増幅器の出力に接続する手段と、
前記第１の信号が前記第１のしきい値を超え、前記第２の信号が前記第２のしきい値を超えるとき、前記第１のスイッチは、前記第１の受信機入力を前記第２の増幅器の出力に接続し、前記第２のスイッチは、前記第２の受信機入力を前記第２の増幅器の出力に接続する手段と、
前記第１の信号が前記第１のしきい値未満で、前記第２の信号が前記第２のしきい値を超えるとき、前記第１のスイッチは、前記第１の受信機入力を前記第１の増幅器の出力に接続し、前記第２のスイッチは、前記第２の受信機入力を前記第２の増幅器の出力に接続する手段と、
前記第１の信号が前記第１のしきい値を超え、前記第２の信号が前記第２のしきい値未満であるとき、前記第１のスイッチは、前記第１の受信機入力を前記第２の増幅器の出力に接続し、前記第２のスイッチは、前記第２の受信機入力を前記第１の増幅器の出力に接続する手段と
を備え、前記第１の受信機入力は、無線ローカルエリアネットワーク（ＷＬＡＮ）受信機入力であり、前記第２の受信機入力は、Ｂｌｕｅｔｏｏｔｈ受信機入力である、装置。
【請求項３７】
前記コンポジット信号はＢｌｕｅｔｏｏｔｈ信号および無線ローカルエリアネットワーク（ＷＬＡＮ）信号を備え、前記第１の受信機はＷＬＡＮ受信機であり、前記第２の受信機はＢｌｕｅｔｏｏｔｈ受信機である、請求項３６に記載の装置。
【請求項３８】
前記第１の信号をスイッチコントローラにフィードバックする手段をさらに備える請求項３６に記載の装置。
【請求項３９】
前記スイッチコントローラはアナログ部分あるいはベースバンド部分のどちらかの中にある、請求項３８に記載の装置。
【請求項４０】
前記スイッチコントローラはプログラム可能である、請求項３８に記載の装置。
【請求項４１】
前記第１のスイッチ設定は無線ローカルエリアネットワーク（ＷＬＡＮ）スイッチ設定であり、前記コンポジット信号の第１の部分は前記コンポジット信号のＷＬＡＮ部分であり、前記第１の受信機入力信号はＷＬＡＮ受信機入力信号であり、前記第２のスイッチ設定はＢｌｕｅｔｏｏｔｈスイッチ設定であり、前記コンポジット信号の第２の部分は前記コンポジット信号のＢｌｕｅｔｏｏｔｈ部分であり、前記第２の受信機入力信号はＢｌｕｅｔｏｏｔｈ受信機入力信号であり、前記第２の信号はＢｌｕｅｔｏｏｔｈ信号である、請求項３７に記載の装置。
【請求項４２】
コンポジット信号を受信するための集積回路であって、
アンテナに結合された第１の増幅器と、
前記アンテナに結合された第２の増幅器と、
第１の受信機と、
第２の受信機と、
前記第１の受信機を前記第１の増幅器あるいは前記第２の増幅器のどちらかの出力に結合させる第１のプログラム可能なスイッチと、
前記第２の受信機を前記第１の増幅器あるいは前記第２の増幅器のどちらかの出力に結合させる第２のプログラム可能なスイッチと
を備え、
前記第１の増幅器からの第１の信号が第１のしきい値未満で、前記第２の増幅器からの第２の信号が第２のしきい値未満であるとき、前記第１のスイッチは、前記第１の受信機入力を前記第１の増幅器の出力に接続し、前記第２のスイッチは、前記第２の受信機入力を前記第１の増幅器の出力に接続し、
前記第１の信号が前記第１のしきい値を超え、前記第２の信号が前記第２のしきい値を超えるとき、前記第１のスイッチは、前記第１の受信機入力を前記第２の増幅器の出力に接続し、前記第２のスイッチは、前記第２の受信機入力を前記第２の増幅器の出力に接続し、
前記第１の信号が前記第１のしきい値未満で、前記第２の信号が前記第２のしきい値を超えるとき、前記第１のスイッチは、前記第１の受信機入力を前記第１の増幅器の出力に接続し、前記第２のスイッチは、前記第２の受信機入力を前記第２の増幅器の出力に接続し、
前記第１の信号が前記第１のしきい値を超え、前記第２の信号が前記第２のしきい値未満であるとき、前記第１のスイッチは、前記第１の受信機入力を前記第２の増幅器の出力に接続し、前記第２のスイッチは、前記第２の受信機入力を前記第１の増幅器の出力に接続し、
前記第１の受信機入力は、無線ローカルエリアネットワーク（ＷＬＡＮ）受信機入力であり、前記第２の受信機入力は、Ｂｌｕｅｔｏｏｔｈ受信機入力である、集積回路。
【請求項４３】
前記アンテナと前記第２の増幅器との間の結合器をさらに備え、前記結合器は前記第１の増幅器の性能や感度を実質的に劣化させないいくらかの損失を有する、請求項４２に記載の集積回路。
【請求項４４】
前記結合器は１つまたは複数の受動デバイスおよび／あるいは能動デバイスを備える、請求項４３に記載の集積回路。
【請求項４５】
前記受動デバイスおよび／あるいは能動デバイスはコントローラによって再構成可能であり、前記結合器における損失量はプログラム可能である、請求項４４に記載の集積回路。
【請求項４６】
前記受動デバイスおよび／あるいは能動デバイスは制御信号によって制御され、前記損失量は前記制御信号によってプログラムされる、請求項４４に記載の集積回路。
【請求項４７】
スイッチコントローラをさらに備え、前記スイッチコントローラは前記第１のスイッチおよび第２のスイッチを制御する請求項４２に記載の集積回路。
【発明の詳細な説明】
【技術分野】
【０００１】
本開示は一般的に無線通信システムに関する。具体的には、本開示は同一周波数帯域におけるラジオ周波数信号に対するアンテナ共有のためのシステムおよび方法に関する。
【背景技術】
【０００２】
無線通信デバイスは、消費者のニーズを満たすため、およびポータビリティおよび利便性を改善するために、より小さく、よりパワフルになってきている。消費者は、セルラ電話、携帯情報端末（ＰＤＡ）、ラップトップコンピュータなどのような無線通信デバイスに依存するようになった。消費者は、信頼性のあるサービス、拡大されたカバレッジのエリア、および向上した機能を期待するようになってきた。
【０００３】
無線通信デバイスは、複数の無線通信規格を用いて通信可能でありうる。例えば、無線通信デバイスは、無線ローカルエリアネットワーク（ＷＬＡＮ）およびブルートゥース(Ｂｌｕｅｔｏｏｔｈ(登録商標))の両方を用いて通信可能でありうる。いくつかの事例では、無線通信デバイスが複数の無線規格を同時に用いて通信できる。例えば、Ｂｌｕｅｔｏｏｔｈステレオヘッドセットがコンピュータから楽曲を受信する一方で、このコンピュータが無線ローカルエリアネットワーク（ＷＬＡＮ ＩＥＥＥ８０２.１１ａ、ｂ、ｇ、ｎ規格）を用いてインターネットウェブサイトから歌をダウンロードできる。
【０００４】
現在のところ、Ｂｌｕｅｔｏｏｔｈおよび無線ローカルエリアネットワーク（ＷＬＡＮ）間の協調（coordination）がプロトコルレベルで存在しないため、Ｂｌｕｅｔｏｏｔｈおよび無線ローカルエリアネットワーク（ＷＬＡＮ）は独立に動作して互いに妨害し合うことがある。ラジオ周波数（ＲＦ）受信機は、強い／妨害干渉信号の存在下では最小感度あるいは最小に近い感度で所望信号を扱う必要がある。
【０００５】
電気電子技術者協会（ＩＥＥＥ）８０２.１５のような規格およびＢｌｕｅｔｏｏｔｈプロファイルは、ＲＦ信号の混合を回避するために各デバイスから送信されるＲＦ信号のタイミングを制御することによってこの問題を解決しようと試みてきた。しかしながら、時分割多重化はスループットを低減して多大なＣＰＵ時間を必要とする。干渉除去のような他の方法が試みられてきたが、実際には限定的利用を提供するに留まる。
【図面の簡単な説明】
【０００６】
【図１】図１は、複数の無線デバイスを伴う無線通信システムを示す。
【図２】図２は、Ｂｌｕｅｔｏｏｔｈ無線通信および無線ローカルエリアネットワーク（ＷＬＡＮ）無線通信を同時に受信するための方法のフロー図である。
【図３】図３は、本システムおよび方法において使用するための無線デバイスの様々なコンポーネントを例示するブロック図である。
【図４】図４は、本システムおよび方法において使用するための無線デバイスの様々なコンポーネントを例示する別のブロック図である。
【図５】図５は、Ｂｌｕｅｔｏｏｔｈ無線信号および無線ローカルエリアネットワーク（ＷＬＡＮ）無線信号を同時に受信するための別の方法のフロー図である。
【図６】図６は、弱いＢｌｕｅｔｏｏｔｈ信号および弱い無線ローカルエリアネットワーク（ＷＬＡＮ）信号に対応する無線デバイスの第１の状態を例示するブロック図である。
【図７】図７は、強いＢｌｕｅｔｏｏｔｈ信号および強い無線ローカルエリアネットワーク（ＷＬＡＮ）信号に対応する無線デバイスの第２の状態を例示するブロック図である。
【図８】図８は、強いＢｌｕｅｔｏｏｔｈ信号および弱い無線ローカルエリアネットワーク（ＷＬＡＮ）信号に対応する無線デバイスの第３の状態を例示するブロック図である。
【図９】図９は、弱いＢｌｕｅｔｏｏｔｈ信号および強い無線ローカルエリアネットワーク（ＷＬＡＮ）信号に対応する無線デバイスの第４の状態を例示するブロック図である。
【図１０】図１０は、無線通信デバイス内に含まれうる特定のコンポーネントを例示する。
【図１１】図１１は、基地局内に含まれうる特定のコンポーネントを例示する。
【発明を実施するための形態】
【０００７】
コンポジット信号を受信するための無線デバイスが説明される。この無線デバイスは、アンテナと、アンテナに結合された第１の増幅器と、アンテナに結合された第２の増幅器と、第１の受信機と、第２の受信機と、第１の受信機を第１の増幅器あるいは第２の増幅器のどちらかの出力に結合させる第１のスイッチとを含む。無線デバイスはまた、第２の受信機を第１の増幅器あるいは第２の増幅器のどちらかの出力に結合させる第２のスイッチを含む。
【０００８】
この無線デバイスは、アンテナと第２の増幅器との間に結合器を含みうる。この結合器は、第１の増幅器の性能や感度を実質的に劣化させないいくらかの損失を有しうる。この結合器は、１つまたは複数の受動デバイスおよび／あるいは能動デバイスを含みうる。受動デバイスおよび／あるいは能動デバイスは、コントローラによって再構成可能でありうる。結合器における損失量はプログラム可能でありうる。受動デバイスおよび／あるいは能動デバイスは、制御信号によって制御されうる。損失量は制御信号によってプログラムされうる。この無線デバイスはまた、第１のスイッチおよび第２のスイッチを制御するスイッチコントローラを含みうる。スイッチコントローラは、アナログ部分あるいはベースバンド部分のどちらかの中にありうる。スイッチコントローラはプログラム可能でありうる。
【０００９】
コンポジット信号は、同一信号帯域内において、第１の無線規格に基づく第１の無線信号、および第２の無線規格に基づく第２の無線信号を含みうる。第１の無線信号はＢｌｕｅｔｏｏｔｈ信号であり、第２の無線信号は無線ローカルエリアネットワーク（ＷＬＡＮ）信号でありうる。第１の受信機はＷＬＡＮ受信機であり、第２の受信機はＢｌｕｅｔｏｏｔｈ受信機でありうる。
【００１０】
スイッチコントローラはＷＬＡＮ受信機の出力に結合されうる。ＷＬＡＮ受信機の出力はＷＬＡＮしきい値と比較されうる。第１のスイッチはＷＬＡＮ受信機の出力がＷＬＡＮしきい値に満たない場合にＷＬＡＮ受信機を第１の増幅器の出力に結合させうる。第１のスイッチはＷＬＡＮ受信機がＷＬＡＮしきい値を越える場合にＷＬＡＮ受信機を第２の増幅器の出力に結合させうる。
【００１１】
スイッチコントローラはＢｌｕｅｔｏｏｔｈ受信機の出力に結合されうる。Ｂｌｕｅｔｏｏｔｈ受信機の出力はＢｌｕｅｔｏｏｔｈしきい値と比較されうる。第２のスイッチはＢｌｕｅｔｏｏｔｈ受信機の出力がＢｌｕｅｔｏｏｔｈしきい値に満たない場合にＢｌｕｅｔｏｏｔｈ受信機を第１の増幅器の出力に結合させうる。第２のスイッチはＢｌｕｅｔｏｏｔｈ受信機の出力がＢｌｕｅｔｏｏｔｈしきい値を越える場合にＢｌｕｅｔｏｏｔｈ受信機を第２の増幅器の出力に結合させうる。
【００１２】
ＷＬＡＮ受信機は、低雑音増幅器（ＬＮＡ）と、ミキサと、プログラム可能利得増幅器（ＰＧＡ）と、フィルタとを含むＷＬＡＮ復号器を含みうる。ＷＬＡＮ受信機はまた、アナログ／デジタル変換機（ＡＤＣ）を含むベースバンドフィルタを含みうる。Ｂｌｕｅｔｏｏｔｈ受信機は、低雑音増幅器（ＬＮＡ）と、ミキサと、プログラム可能利得増幅器と、フィルタとを含むＢｌｕｅｔｏｏｔｈ復号器を含みうる。Ｂｌｕｅｔｏｏｔｈ受信機はまた、アナログ／デジタル変換機（ＡＤＣ）を含むベースバンドフィルタを含みうる。
【００１３】
アンテナを用いてコンポジット信号を受信するための方法が説明される。コンポジット信号の第１の部分のための第１のスイッチ設定が決定される。コンポジット信号は、第１の受信機入力信号を取得するために、第１のスイッチ設定を用いて増幅される。第１の信号は、第１の受信機を用いて第１の受信機入力信号から復号される。コンポジット信号の第２の部分のための第２のスイッチ設定が決定される。コンポジット信号は、第２の受信機入力信号を取得するために、第２のスイッチ設定を用いて増幅される。第２の信号は、第２の受信機を用いて第２の受信機入力信号から復号される。
【００１４】
第１の信号はスイッチコントローラにフィードバックされうる。スイッチコントローラはプログラム可能でありうる。コンポジット信号を増幅することは、第１の増幅器あるいは第２の増幅器のどちらかを用いてコンポジット信号を増幅することを含みうる。第１の増幅器はアンテナに結合され、第２の増幅器はアンテナに結合されうる。ＷＬＡＮスイッチ設定は信号経路あるいは方向を制御しうるデバイスの位置を含みうる。デバイスは、ＷＬＡＮ受信機を第１の増幅器あるいは第２の増幅器のどちらかの出力に結合させうる。このデバイスはスイッチでありうる。
【００１５】
ＷＬＡＮスイッチ設定を決定することは、フィードバックＷＬＡＮ信号をＷＬＡＮしきい値と比較することを含みうる。フィードバックＷＬＡＮ信号は復号されたＷＬＡＮ信号でありうる。スイッチは復号されたＷＬＡＮ信号がＷＬＡＮしきい値に満たない場合にＷＬＡＮ受信機入力を第１の増幅器の出力に結合させうる。スイッチは復号されたＷＬＡＮ信号がＷＬＡＮしきい値を越える場合にＷＬＡＮ受信機入力を第２の増幅器の出力に結合させうる。コンポジット信号のＷＬＡＮ部分を復号することは、ＷＬＡＮ受信機入力信号を増幅することと、ＷＬＡＮ受信機入力信号をダウンコンバートすることと、ＷＬＡＮ受信機入力信号をフィルタすることとを含みうる。
【００１６】
第２のスイッチ設定はＢｌｕｅｔｏｏｔｈスイッチ設定でありうる。Ｂｌｕｅｔｏｏｔｈスイッチ設定は信号経路あるいは方向を制御しうるデバイスの位置を含みうる。デバイスはＢｌｕｅｔｏｏｔｈ受信機を第１の増幅器あるいは第２の増幅器のどちらかの出力に結合させうる。このデバイスはスイッチでありうる。Ｂｌｕｅｔｏｏｔｈスイッチ設定を決定することは、フィードバックＢｌｕｅｔｏｏｔｈ信号をＢｌｕｅｔｏｏｔｈしきい値と比較することを含みうる。フィードバックＢｌｕｅｔｏｏｔｈ信号は復号されたＢｌｕｅｔｏｏｔｈ信号でありうる。スイッチは復号されたＢｌｕｅｔｏｏｔｈ信号がＢｌｕｅｔｏｏｔｈしきい値に満たない場合にＢｌｕｅｔｏｏｔｈ受信機入力を第１の増幅器の出力に結合させうる。スイッチは復号されたＢｌｕｅｔｏｏｔｈ信号がＢｌｕｅｔｏｏｔｈしきい値を越える場合にＢｌｕｅｔｏｏｔｈ受信機入力を第２の増幅器の出力に結合させうる。Ｂｌｕｅｔｏｏｔｈ信号を復号することは、Ｂｌｕｅｔｏｏｔｈ受信機入力信号を増幅することと、Ｂｌｕｅｔｏｏｔｈ受信機入力信号をダウンコンバートすることと、Ｂｌｕｅｔｏｏｔｈ受信機入力信号をフィルタすることとを含みうる。Ｂｌｕｅｔｏｏｔｈ信号は信号コントローラにフィードバックされうる。
【００１７】
単一のアンテナを用いてコンポジット信号を受信するための装置がさらに説明される。装置は、コンポジット信号の第１の部分のための第１のスイッチ設定を決定する手段を含む。装置はまた、第１の受信機入力信号を取得するために第１のスイッチ設定を用いてコンポジット信号を増幅する手段を含む。装置はさらに、第１の受信機入力信号から第１の信号を復号する手段を含む。装置はまた、コンポジット信号の第２の部分のための第２のスイッチ設定を決定する手段を含む。装置はさらに、第２の受信機入力信号を取得するために第２のスイッチ設定を用いてコンポジット信号を増幅する手段を含む。装置はまた、第２の受信機入力信号から第２の信号を復号する手段を含む。
【００１８】
コンポジット信号を受信するための集積回路が説明される。集積回路は、アンテナに結合された第１の増幅器と、アンテナに結合された第２の増幅器と、第１の受信機と、第２の受信機と、第１の受信機を第１の増幅器あるいは第２の増幅器のどちらかの出力に結合させる第１のプログラム可能なスイッチとを含む。集積回路はまた、第２の受信機を第１の増幅器あるいは第２の増幅器のどちらかの出力に結合させる第２のプログラム可能なスイッチを含む。
【００１９】
図１は、複数の無線デバイス１０２を伴う無線通信システム１００を示す。無線デバイス１０２は基地局、無線通信デバイス、コントローラなどでありうる。基地局は１つまたは複数の無線通信デバイスと通信する局である。基地局はアクセスポイント、ブロードキャスト送信機、ノードＢ、発展型ノードＢなどとも称され、それらの機能のうちのいくつか、または全てを含みうる。本明細書では、用語「基地局」が使用される。各基地局は特定の地理的エリアのために通信カバレッジを提供する。基地局は１つまたは複数の無線通信デバイスのために通信カバレッジを提供しうる。用語「セル」は、この用語が使用される状況に依存して、基地局および／あるいはそのカバレッジエリアを指しうる。
【００２０】
無線通信デバイスはまた、端末、アクセス端末、ユーザ機器（ＵＥ）、加入者ユニット、局などを指し、それらの機能のうちのいくつかあるいは全てを含みうる。無線通信デバイスはセルラ電話、携帯情報端末（ＰＤＡ）、無線デバイス、無線モデム、ハンドヘルドデバイス、ラップトップコンピュータなどでありうる。無線通信デバイスは任意の所与の瞬間にダウンリンクおよび／アップリンク上で０、１、あるいは複数個の基地局と通信しうる。ダウンリンク（すなわちフォワードリンク）は基地局から無線通信デバイスへの通信リンクを指し、アップリンク（すなわちリバースリンク）は無線通信デバイスから基地局への通信リンクを指す。
【００２１】
無線通信システム１００は、利用可能なシステムリソース（例えば、帯域幅および送信電力）を共有することによって複数のユーザとの通信をサポート可能な多元接続システムでありうる。このような多元接続システムの例は、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、および空間分割多元接続（ＳＤＭＡ）システムを含む。
【００２２】
無線システム（例えば、多元接続システム）における複数の無線デバイス間の通信は、無線リンクによる伝送によって達成されうる。こうした通信のリンクは単一入力および単一出力（ＳＩＳＯ）、多入力および単一出力（ＭＩＳＯ）、あるいは多入力および多出力（ＭＩＭＯ）システムによって確立されうる。ＭＩＭＯシステムはデータ伝送のために複数の送信アンテナおよび複数の受信アンテナをそれぞれ装備した（複数の）送信機および（複数の）受信機を含む。ＳＩＳＯおよびＭＩＳＯシステムはＭＩＭＯシステムの特定の事例である。ＭＩＭＯシステムは、複数の送信アンテナおよび受信アンテナによって生成される付加的次元が利用される場合に、向上された性能（例えば、より高いスループット、より大きな容量、あるいは向上された信頼性）を提供しうる。
【００２３】
無線通信システム１００はＭＩＭＯを利用しうる。送信機では、データストリームの各部分が異なるアンテナから送信されうる。受信機では、データストリームの異なる部分が異なるアンテナによって受信され、この後合わされうる。送信アンテナおよび受信アンテナによって形成されるＭＩＭＯチャネルは、空間チャネルとも称される１つまたは複数の独立チャネルに分解されうる。これら独立チャネルの各々が次元に対応する。
【００２４】
無線デバイス１０２は複数の無線通信規格を用いて他の無線デバイス１０２と通信しうる。例えば、無線デバイス１０２ａは、Ｂｌｕｅｔｏｏｔｈを用いて通信するように構成された無線デバイス１０２ｂからのＢｌｕｅｔｏｏｔｈ無線通信１０８を受信しながら、無線ローカルエリアネットワーク（ＷＬＡＮ）を用いて通信するように構成された無線デバイス１０２ｃからの無線ローカルエリアネットワーク（ＷＬＡＮ）無線通信１１０を同時に受信しうる。１つの構成では、無線デバイス１０２ａが単一のアンテナ１０４を用いてＢｌｕｅｔｏｏｔｈ無線通信１０８および無線ローカルエリアネットワーク（ＷＬＡＮ）無線通信１１０を受信するように構成されうる。無線デバイス１０２ａはアンテナ１０４によってコンポジット信号１０６を受信しうる。コンポジット信号１０６は共有スペクトルにおける２つ以上のプロトコルからの信号を含みうる。１つの構成では、コンポジット信号１０６がＢｌｕｅｔｏｏｔｈ信号およびＷＬＡＮ信号の両方を含みうる。
【００２５】
Ｂｌｕｅｔｏｏｔｈおよび無線ローカルエリアネットワーク（ＷＬＡＮ）通信を合わせて統合することに対する強い要望がセルラ電話および他の民生電子機器（consumer electronics)において存在する。Ｂｌｕｅｔｏｏｔｈおよび無線ローカルエリアネットワーク（ＷＬＡＮ）間でアンテナ１０４を共有することは、無線デバイス１０２ａのプリント回路ボード（ＰＣＢ）空間および全体コストを節約できる。Ｂｌｕｅｔｏｏｔｈおよび無線ローカルエリアネットワーク（ＷＬＡＮ）は同じ周波数スペクトルを共有することから、受信感度のような性能メトリックを劣化させることなく同時動作のために共通アンテナ１０４を共有することが困難なことがある。例えば、単純に、コンポジット信号１０６を無線ローカルエリアネットワーク（ＷＬＡＮ）受信機１１６およびＢｌｕｅｔｏｏｔｈ受信機１２２の両方に接続し、２つの受信機間でコンポジット信号１０６を共有するためにＲＦ信号を用いることは、感度を３ｄＢだけ劣化させることになる。
【００２６】
Ｂｌｕｅｔｏｏｔｈ無線通信１０８および無線ローカルエリアネットワーク（ＷＬＡＮ）無線通信１１０は、両方とも、２.４ギガヘルツ（ＧＨｚ）の産業科学医療（ＩＳＭ）ラジオ帯域において受信されうる。Ｂｌｕｅｔｏｏｔｈおよび無線ローカルエリアネットワーク（ＷＬＡＮ）間にはプロトコルレベルでの協調が存在しないため、Ｂｌｕｅｔｏｏｔｈおよび無線ローカルエリアネットワーク（ＷＬＡＮ）は非同期で独立に動作して時折互いに妨害し合うことがある。故に、受信されたコンポジット信号１０６はＢｌｕｅｔｏｏｔｈ無線通信１０８および無線ローカルエリアネットワーク（ＷＬＡＮ）無線通信１１０の両方を含みうる。
【００２７】
Ｂｌｕｅｔｏｏｔｈ無線通信１０８および無線ローカルエリアネットワーク（ＷＬＡＮ）無線通信１１０間での信号強度は大きく異なることがある。例えば、Ｂｌｕｅｔｏｏｔｈ無線通信１０８および無線ローカルエリアネットワーク（ＷＬＡＮ）無線通信１１０間での信号強度は最大で７０デシベル（ｄＢ）まで離れうる。１つの構成では、受信されたＢｌｕｅｔｏｏｔｈ無線通信１０８が、受信された無線ローカルエリアネットワーク（ＷＬＡＮ）無線通信１１０よりも著しく強い信号強度を有することがある。無線ローカルエリアネットワーク（ＷＬＡＮ）無線通信１１０は、無線ローカルエリアネットワーク（ＷＬＡＮ）無線通信１１０を分離しない限り、この環境においてコンポジット信号１０６内で検知できないおそれがある。同様に、無線ローカルエリアネットワーク（ＷＬＡＮ）無線通信１１０がＢｌｕｅｔｏｏｔｈ無線通信１０８よりも著しく強い信号強度を有するなら、Ｂｌｕｅｔｏｏｔｈ無線通信１０８を検知できなくするおそれもある。
【００２８】
Ｂｌｕｅｔｏｏｔｈ無線通信１０８および無線ローカルエリアネットワーク（ＷＬＡＮ）無線通信１１０を同時に受信するために、無線デバイス１０２ａはスイッチング増幅回路１１２を使用しうる。スイッチング増幅回路１１２は、図３と関連して以下にさらに詳細に説明される。スイッチング増幅回路１１２はコンポジット信号１０６に適用された増幅を判定しうる。例えば、１つの構成では、スイッチング増幅回路１１２が、無線ローカルエリアネットワーク（ＷＬＡＮ）受信機入力１１４に対して第１の信号を出力し、Ｂｌｕｅｔｏｏｔｈ受信機入力１２０に対して第２の信号を出力しうる。無線ローカルエリアネットワーク（ＷＬＡＮ）受信機入力ユニット１１４に対して出力された第１の信号と、Ｂｌｕｅｔｏｏｔｈ受信機入力１２０に対して出力された第２の信号との両方は、コンポジット信号１０６の増幅されたバージョンでありうる。１つの構成では、無線ローカルエリアネットワーク（ＷＬＡＮ）受信機入力１１４に対して出力された第１の信号と、Ｂｌｕｅｔｏｏｔｈ受信機入力１２０に対して出力された第２の信号とは、コンポジット信号１０６の同じ増幅されたバージョンでありうる。別の構成では、無線ローカルエリアネットワーク（ＷＬＡＮ）受信機入力１１４に対して出力された第１の信号と、Ｂｌｕｅｔｏｏｔｈ受信機入力１２０に対して出力された第２の信号とが、コンポジット信号１０６の異なって（differently）増幅されたバージョンでありうる。
【００２９】
無線ローカルエリアネットワーク（ＷＬＡＮ）受信機１１６は、無線ローカルエリアネットワーク（ＷＬＡＮ）受信機入力１１４に対して出力された第１の信号を受信しうる。無線ローカルエリアネットワーク（ＷＬＡＮ）受信機１１６は、この後無線ローカルエリアネットワーク（ＷＬＡＮ）信号１１８を取得するために、無線ローカルエリアネットワーク（ＷＬＡＮ）受信機入力１１４によって受信された信号を復号しうる。
【００３０】
Ｂｌｕｅｔｏｏｔｈ受信機１２２は、Ｂｌｕｅｔｏｏｔｈ受信機入力１２０に対して出力された第２の信号出力を受信しうる。Ｂｌｕｅｔｏｏｔｈ受信機１２２は、この後Ｂｌｕｅｔｏｏｔｈ信号１２４を取得するために、Ｂｌｕｅｔｏｏｔｈ受信機入力１２０によって受信された信号を復号しうる。
【００３１】
図２は、Ｂｌｕｅｔｏｏｔｈ無線通信１０８および無線ローカルエリアネットワーク無線通信１１０を同時に受信するための方法２００のフロー図である。方法２００は無線デバイス１０２ａによって行われうる。１つの構成では、無線デバイス１０２ａが無線通信デバイスでありうる。無線デバイス１０２ａは、コンポジット信号１０６を受信しうる（２０２）。コンポジット信号１０６は、Ｂｌｕｅｔｏｏｔｈ無線通信１０８および無線ローカルエリアネットワーク（ＷＬＡＮ）無線通信１１０を含みうる。言替えると、コンポジット信号１０６は、Ｂｌｕｅｔｏｏｔｈ無線信号および無線ローカルエリアネットワーク（ＷＬＡＮ）無線信号を含みうる。無線デバイス１０２ａは、Ｂｌｕｅｔｏｏｔｈ無線信号および無線ローカルエリアネットワーク（ＷＬＡＮ）無線信号の両方を受信するために単一のアンテナ１０４を使用しうる。無線デバイス１０２ａはＢｌｕｅｔｏｏｔｈ無線信号に関する動作を行いながら、同時に無線ローカルエリアネットワーク（ＷＬＡＮ）無線信号に関する動作を行いうる。言替えると、ステップ２０４−２０８は、ステップ２１０−２１４と並行して行われうる。
【００３２】
無線デバイス１０２ａはスイッチング増幅回路１１２のためのＢｌｕｅｔｏｏｔｈスイッチ構成を決定しうる（２０４）。Ｂｌｕｅｔｏｏｔｈスイッチ構成はスイッチング増幅回路１１２内のＢｌｕｅｔｏｏｔｈ受信機入力スイッチの位置を指しうる。Ｂｌｕｅｔｏｏｔｈ受信機入力スイッチは、図４と関連して以下にさらに詳細に説明される。
【００３３】
無線デバイス１０２ａはこの後Ｂｌｕｅｔｏｏｔｈ受信機入力信号を取得するために、Ｂｌｕｅｔｏｏｔｈスイッチ構成に従ってコンポジット信号１０６を増幅しうる(２０６）。所望信号の入力電力レベルに依存し、増幅器回路はコンポジット信号１０６を増幅あるいは減衰させうる。Ｂｌｕｅｔｏｏｔｈ受信機入力信号はコンポジット信号１０６の増幅されたバージョンでありうる。Ｂｌｕｅｔｏｏｔｈ受信機入力信号はＢｌｕｅｔｏｏｔｈ受信機入力１２０によってＢｌｕｅｔｏｏｔｈ受信機１２２に提供されうる。無線デバイス１０２ａはＢｌｕｅｔｏｏｔｈ受信機１２２を用いてＢｌｕｅｔｏｏｔｈ受信機入力信号からＢｌｕｅｔｏｏｔｈ信号１２４を復号しうる（２０８）。
【００３４】
無線デバイス１０２ａはまた、スイッチング増幅回路１１２のための無線ローカルエリアネットワーク（ＷＬＡＮ）スイッチ構成を決定しうる（２１０）。無線ローカルエリアネットワーク（ＷＬＡＮ）スイッチ構成は、スイッチング増幅回路１１２内の無線ローカルエリアネットワーク（ＷＬＡＮ）受信機入力スイッチの位置を指しうる。無線ローカルエリアネットワーク（ＷＬＡＮ）受信機入力スイッチは、図４と関連して以下にさらに詳細に説明される。
【００３５】
無線デバイス１０２ａは、無線ローカルエリアネットワーク（ＷＬＡＮ）受信機入力信号を取得するために、無線ローカルエリアネットワーク（ＷＬＡＮ）スイッチ構成に従ってコンポジット信号１０６を増幅しうる(２１２）。増幅器回路は所望信号入力電力レベルに依存してコンポジット信号１０６を増幅あるいは減衰しうる。無線ローカルエリアネットワーク（ＷＬＡＮ）受信機入力信号はコンポジット信号１０６の増幅されたバージョンでありうる。無線ローカルエリアネットワーク（ＷＬＡＮ）受信機入力信号は無線ローカルエリアネットワーク（ＷＬＡＮ）受信機入力１１４によって無線ローカルエリアネットワーク（ＷＬＡＮ）受信機１１６に提供されうる。無線デバイス１０２ａはこの後無線ローカルエリアネットワーク（ＷＬＡＮ）受信機１１６を用いて無線ローカルエリアネットワーク（ＷＬＡＮ）受信機入力信号から無線ローカルエリアネットワーク（ＷＬＡＮ）信号１１８を復号しうる（２１４）。
【００３６】
図３は、本システムおよび方法において使用するための無線デバイス３０２の様々なコンポーネントを例示するブロック図である。図３の無線デバイス３０２は図１の無線デバイス１０２ａの１つの構成でありうる。無線デバイス３０２は、単一のアンテナ３０４を含みうる。単一のアンテナ３０４はＢｌｕｅｔｏｏｔｈ無線通信１０８および無線ローカルエリアネットワーク（ＷＬＡＮ）無線通信１１０の両方を受信するために使用されうる。受信されたＢｌｕｅｔｏｏｔｈ無線通信１０８および無線ローカルエリアネットワーク（ＷＬＡＮ）無線通信１１０の組み合わせは、コンポジット信号３０６と称されうる。
【００３７】
コンポジット信号３０６を例示するグラフ３４２が図示される。コンポジット信号３０６は無線ローカルエリアネットワーク（ＷＬＡＮ）部分３４１およびＢｌｕｅｔｏｏｔｈ部分３４３を含みうる。無線ローカルエリアネットワーク（ＷＬＡＮ）部分３４１およびＢｌｕｅｔｏｏｔｈ部分３４３の両方は２.４ＧＨｚおよび２.４８３５ＧＨｚの間の範囲でありうる。無線ローカルエリアネットワーク（ＷＬＡＮ）部分３４１は使用される２０ＭＨｚチャネルあるいは４０ＭＨｚチャネルを含みうる。Ｂｌｕｅｔｏｏｔｈ部分３４３は使用される１ＭＨｚチャネルを含みうる。Ｂｌｕｅｔｏｏｔｈ部分３４３および無線ローカルエリアネットワーク（ＷＬＡＮ）部分３４１は周波数スペクトルにおいて互いにオーバラップしうる。ＷＬＡＮおよびＢｌｕｅｔｏｏｔｈ間にはスペクトル使用協調が存在しないことがある。衝突が生じた（すなわち、両方のプロトコルが同時に同じスペクトルを使用する）場合、再送信が生じ、今後そのチャネルは回避されうる。
【００３８】
Ｂｌｕｅｔｏｏｔｈ無線通信部分３４３および無線ローカルエリアネットワーク（ＷＬＡＮ）無線通信部分３４１は、実質的に異なる信号強度を有しうる。例えば、Ｂｌｕｅｔｏｏｔｈ無線通信部分３４３および無線ローカルエリアネットワーク（ＷＬＡＮ）無線通信部分３４１は、信号強度の点で、最大で７０ｄＢまで異なりうる。
【００３９】
無線デバイス３０２はスイッチング増幅回路３１２を含みうる。図３のスイッチング増幅回路３１２は、図１のスイッチング増幅回路１１２の１つの構成でありうる。スイッチング増幅回路３１２は第１の増幅器３２６を含みうる。第１の増幅器３２６は低雑音増幅器（ＬＮＡ）でありうる。第１の増幅器３２６はコンポジット信号３０６を受信しうる。第１の増幅器３２６はこの後第１の増幅されたコンポジット信号３２８を出力しうる。第１の増幅されたコンポジット信号３２８はコンポジット信号３０６の増幅されたバージョンでありうる。ＬＮＡ利得の量と、利得ステップの数およびサイズと、減衰のレベルとは、受信機におけるＡＤＣに対するＲＦ入力からの信号経路利得ラインアップ（line up)によって導出される。
【００４０】
スイッチング増幅回路３１２は二次経路結合器３３０を含みうる。この二次経路結合器３３０は、第１の増幅器３２６の性能や感度を実質的に劣化させないいくらかの損失を有しうる。二次経路結合器３３０は、１つの受動デバイス（コンデンサのような）あるいは複数の受動デバイスの組み合わせを含みうる。二次経路結合器３３０はまた、１つの能動デバイス（トランジスタのような）あるいは複数の能動デバイスの組み合わせを含みうる。二次経路結合器３３０におけるデバイスは、コントローラ（図示せず）によって再構成可能でありうる。コントローラは二次経路結合器３３０における損失量を制御しうる。このように、二次経路結合器３３０における損失量はプログラム可能でありうる。二次経路結合器３３０におけるデバイスは制御信号によって制御されうる。二次経路結合器３３０における損失量は制御信号によってプログラムされうる。
【００４１】
二次経路結合器３３０は第２の増幅器３３２に接続されうる。第２の増幅器３３２はまた、低雑音増幅器（ＬＮＡ）でありうる。コンポジット信号３０６は、第２の増幅器３３２によって増幅される前に二次経路結合器３３０を通過しうる。第２の増幅器３３２はこの後第２の増幅されたコンポジット信号３３４を出力しうる。二次経路結合器３３０は第２の増幅器３３２によって受信されたコンポジット信号３０６の信号強度を低減しうる。１つの構成では、二次経路結合器３３０がコンポジット信号３０６の信号強度を低減しうる（例えば、１５−２０ｄＢだけ）。二次経路結合器３３０はまた、アンテナ３０４から第２の増幅器３３２への経路における入力インピーダンスを増大させうる。このように、アンテナ３０４からの受信された信号電力の大部分が第１の増幅器３２６へ行き、その一方で、アンテナ３０４からの受信された信号電力のより小さい部分が第２の増幅器３３２へ行きうる。第１の増幅されたコンポジット信号３２８は、第２の増幅されたコンポジット信号３３４よりも、およそ１５−２０ｄＢ強い信号強度を有しうる。一次経路からのおよそ１５−２０ｄＢを合わせると、＜０.１ｄＢだけ一次経路を劣化させることになる。
【００４２】
スイッチ回路３５０は第１の増幅されたコンポジット信号３２８および第２の増幅されたコンポジット信号３３４を受信しうる。スイッチ回路３５０は、図４と関連して以下にさらに詳細に説明される。スイッチ回路３５０は、無線ローカルエリアネットワーク（ＷＬＡＮ）受信機入力３１４に対して無線ローカルエリアネットワーク（ＷＬＡＮ）受信機入力信号を出力し、Ｂｌｕｅｔｏｏｔｈ受信機入力３２０に対してＢｌｕｅｔｏｏｔｈ受信機入力信号を出力しうる。無線ローカルエリアネットワーク（ＷＬＡＮ）受信機入力信号と、Ｂｌｕｅｔｏｏｔｈ受信機入力信号とは、両方とも、コンポジット信号３０６の増幅されたバージョンでありうる。言替えると、無線ローカルエリアネットワーク（ＷＬＡＮ）受信機入力信号およびＢｌｕｅｔｏｏｔｈ受信機入力信号は、両方とも、コンポジット信号３０６の無線ローカルエリアネットワーク（ＷＬＡＮ）部分３４およびＢｌｕｅｔｏｏｔｈ部分３４３を含みうる。スイッチ回路３５０の構成に依存し、無線ローカルエリアネットワーク（ＷＬＡＮ）受信機入力信号は第１の増幅されたコンポジット信号３２８あるいは第２の増幅されたコンポジット信号３３４のどちらかでありうる。同様に、スイッチ回路３５０の構成に依存して、Ｂｌｕｅｔｏｏｔｈ受信機入力信号は第１の増幅されたコンポジット信号３２８あるいは第２の増幅されたコンポジット信号３３４のどちらかでありうる。
【００４３】
スイッチ回路３５０は、スイッチ制御３４８を用いてスイッチコントローラ３３６によって制御されうる。スイッチコントローラ３３６は無線デバイス１０２ａのアナログ部分あるいはベースバンド部分のどちらかの中にありうる。チャネルフィルタリング後、Ｂｌｕｅｔｏｏｔｈ信号レベルあるいは無線ローカルエリアネットワーク（ＷＬＡＮ）信号レベルのどちらかを検知することが可能である。これは、アナログ領域において（つまり、アナログ／デジタル変換機（ＡＤＣ）を用いたデジタル化の前に）あるいはデジタル領域においてなされうる。アナログ領域において、所望チャネルがダウンコンバートされうる。アナログチャネルフィルタ後、信号電力レベル推定がアナログ検知器を用いてなされうる。デジタル領域において、信号レベルの検知がアナログ／デジタル変換機（ＡＤＣ）後に行われうる。
【００４４】
スイッチコントローラ３３６はＢｌｕｅｔｏｏｔｈしきい値３３８および無線ローカルエリアネットワーク（ＷＬＡＮ）しきい値３４０を含みうる。Ｂｌｕｅｔｏｏｔｈしきい値３３８および無線ローカルエリアネットワーク（ＷＬＡＮ）しきい値３４０は規定値でありうる。スイッチコントローラ３３６は、フィードバックとして、無線ローカルエリアネットワーク（ＷＬＡＮ）信号３１８およびＢｌｕｅｔｏｏｔｈ信号３２４を受信しうる。スイッチコントローラ３３６は、スイッチ回路３５０におけるスイッチ設定を決定するために、無線ローカルエリアネットワーク（ＷＬＡＮ）信号３１８を無線ローカルエリアネットワーク（ＷＬＡＮ）しきい値３４０と比較しうる。スイッチコントローラ３３６はまた、スイッチ回路３５０におけるスイッチ設定を決定するために、Ｂｌｕｅｔｏｏｔｈ信号３２４をＢｌｕｅｔｏｏｔｈしきい値３３８と比較しうる。これらの比較は、どの信号がより強い信号強度を有するかを判定するために、各信号の信号強度を比較しうる。
【００４５】
無線デバイス３０２は無線ローカルエリアネットワーク（ＷＬＡＮ）受信機３１６を含みうる。無線ローカルエリアネットワーク（ＷＬＡＮ）受信機３１６は、図４と関連して以下にさらに詳細に説明される。無線ローカルエリアネットワーク（ＷＬＡＮ）受信機３１６は、無線ローカルエリアネットワーク（ＷＬＡＮ）受信機入力３１４によって無線ローカルエリアネットワーク（ＷＬＡＮ）受信機入力信号を受信しうる。無線ローカルエリアネットワーク（ＷＬＡＮ）受信機３１６は、この後所望無線ローカルエリアネットワーク（ＷＬＡＮ）信号３１８を取得するために、無線ローカルエリアネットワーク（ＷＬＡＮ）受信機入力信号を復号（すなわち、フィルタ、周波数調整）しうる。上述のように、無線ローカルエリアネットワーク（ＷＬＡＮ）信号３１８はスイッチコントローラ３３６に対するフィードバックとして使用されうる。無線ローカルエリアネットワーク（ＷＬＡＮ）信号３１８はグラフ３４４に例示される。無線ローカルエリアネットワーク（ＷＬＡＮ）信号３１８は、コンポジット信号３０６の無線ローカルエリアネットワーク（ＷＬＡＮ）部分３４１ａを含む一方で、コンポジット信号３０６のＢｌｕｅｔｏｏｔｈ部分３４３を排除しうる。
【００４６】
無線デバイス３０２はまた、Ｂｌｕｅｔｏｏｔｈ受信機３２２を含みうる。Ｂｌｕｅｔｏｏｔｈ受信機３２２は、図４と関連して以下にさらに詳細に説明される。Ｂｌｕｅｔｏｏｔｈ受信機３２２は、Ｂｌｕｅｔｏｏｔｈ受信機入力３２０によってＢｌｕｅｔｏｏｔｈ受信機入力出力を受信しうる。Ｂｌｕｅｔｏｏｔｈ受信機３２２は、この後Ｂｌｕｅｔｏｏｔｈ信号３２４を取得するために、所望Ｂｌｕｅｔｏｏｔｈ受信機入力信号を復号しうる。上述のように、Ｂｌｕｅｔｏｏｔｈ信号３２４はスイッチコントローラ３３６に対するフィードバックとして使用されうる。Ｂｌｕｅｔｏｏｔｈ信号３２４はグラフ３４６に例示される。Ｂｌｕｅｔｏｏｔｈ信号３２４は、コンポジット信号３０６のＢｌｕｅｔｏｏｔｈ部分３４３ａを含みうる一方で、コンポジット信号３０６の無線ローカルエリアネットワーク（ＷＬＡＮ）部分３４１を排除しうる。
【００４７】
図４は、本システムおよび方法において使用するための無線デバイス４０２の様々なコンポーネントを例示する別のブロック図である。図４の無線デバイス４０２は、図１の無線デバイス１０２ａの１つの構成でありうる。無線デバイス４０２は単一のアンテナ４０４を含みうる。単一のアンテナ４０４はコンポジット信号４０６を受信するために使用されうる。コンポジット信号４０６は無線ローカルエリアネットワーク（ＷＬＡＮ）部分およびＢｌｕｅｔｏｏｔｈ部分を含みうる。言替えると、アンテナ４０４は無線ローカルエリアネットワーク（ＷＬＡＮ）無線信号およびＢｌｕｅｔｏｏｔｈ無線信号の両方を同時に受信しうる。
【００４８】
コンポジット信号４０６はスイッチング増幅回路４１２に提供されうる。スイッチング増幅回路４１２は第１の増幅器４２６を含みうる。１つの構成では、第１の増幅器４２６が低雑音増幅器（ＬＮＡ）でありうる。第１の増幅器４２６は第１の増幅されたコンポジット信号４２８を取得するためにコンポジット信号４０６を増幅しうる。スイッチング増幅回路４１２はまた、第２の増幅器４３２を含みうる。１つの構成では、第２の増幅器４３２が低雑音増幅器（ＬＮＡ）でありうる。スイッチング増幅回路４１２は、二次経路結合器４３０を経由して第２の増幅器４３２にコンポジット信号４０６を提供しうる。上述のように、二次経路結合器４３０は能動デバイスおよび／あるいは受動デバイスを含みうる。１つの構成では、二次経路結合器４３０がおよそ１５−２０ｄＢだけ不足した信号強度を提供しうる。第２の増幅器４３２はこの後第２の増幅されたコンポジット信号４３４を取得するために、コンポジット信号４０６の減衰されたバージョンを増幅しうる。
【００４９】
第１の増幅されたコンポジット信号４２８および第２の増幅されたコンポジット信号４３４はスイッチ回路４５０に提供されうる。スイッチ回路４５０は、無線ローカルエリアネットワーク（ＷＬＡＮ）受信機入力スイッチ４５４およびＢｌｕｅｔｏｏｔｈ受信機入力スイッチ４５２を含みうる。無線ローカルエリアネットワーク（ＷＬＡＮ）受信機入力スイッチ４５４は、無線ローカルエリアネットワーク（ＷＬＡＮ）受信機入力４１４を第１の増幅されたコンポジット信号４２８あるいは第２の増幅されたコンポジット信号４３４のどちらかに接続しうる。同様に、Ｂｌｕｅｔｏｏｔｈ受信機入力スイッチ４５２は、Ｂｌｕｅｔｏｏｔｈ受信機入力４２０を第１の増幅されたコンポジット信号４２８あるいは第２の増幅されたコンポジット信号４３４のどちらかに接続しうる。無線ローカルエリアネットワーク（ＷＬＡＮ）受信機入力スイッチ４５４とＢｌｕｅｔｏｏｔｈ受信機入力スイッチ４５２とは互いに独立して動作しうる。
【００５０】
スイッチ回路４５０は、スイッチ制御４４８を介してスイッチコントローラ４３６によって制御されうる。スイッチコントローラ４３６は無線ローカルエリアネットワーク（ＷＬＡＮ）受信機入力スイッチ４５４およびＢｌｕｅｔｏｏｔｈ受信機入力スイッチ４５２を制御しうる。スイッチコントローラ４３６は、無線ローカルエリアネットワーク（ＷＬＡＮ）受信機入力スイッチ４５４およびＢｌｕｅｔｏｏｔｈ受信機入力スイッチ４５２を継続的にあるいは周期的に調整しうる。例えば、１つの構成では、スイッチコントローラ４３６が無線ローカルエリアネットワーク（ＷＬＡＮ）受信機入力スイッチ４５４およびＢｌｕｅｔｏｏｔｈ受信機入力スイッチ４５２をトレーニング期間中のみ調整しうる。
【００５１】
スイッチコントローラ４３６はフィードバック無線ローカルエリアネットワーク（ＷＬＡＮ）信号４１８を受信しうる。スイッチコントローラ４３６はこの後、受信されたフィードバック無線ローカルエリアネットワーク（ＷＬＡＮ）信号４１８を無線ローカルエリアネットワーク（ＷＬＡＮ）しきい値４４０と比較しうる。無線ローカルエリアネットワーク（ＷＬＡＮ）しきい値４４０は規定値でありうる。フィードバック無線ローカルエリアネットワーク（ＷＬＡＮ）信号４１８が無線ローカルエリアネットワーク（ＷＬＡＮ）しきい値４４０を越える場合、スイッチコントローラ４３６は、無線ローカルエリアネットワーク（ＷＬＡＮ）受信機入力４１４を第２の増幅されたコンポジット信号４３４に接続するために、無線ローカルエリアネットワーク（ＷＬＡＮ）受信機入力スイッチ４５４を調整しうる。フィードバック無線ローカルエリアネットワーク（ＷＬＡＮ）信号４１８が無線ローカルエリアネットワーク（ＷＬＡＮ）しきい値４４０に満たない場合、スイッチコントローラ４３６は、無線ローカルエリアネットワーク（ＷＬＡＮ）受信機入力４１４を第１の増幅されたコンポジット信号４２８に接続するために、無線ローカルエリアネットワーク（ＷＬＡＮ）受信機入力スイッチ４５４を調整しうる。
【００５２】
スイッチコントローラ４３６は、フィードバックＢｌｕｅｔｏｏｔｈ信号４２４を受信しうる。スイッチコントローラ４３６はこの後、受信されたフィードバックＢｌｕｅｔｏｏｔｈ信号４２４をＢｌｕｅｔｏｏｔｈしきい値４３８と比較しうる。Ｂｌｕｅｔｏｏｔｈしきい値４３８は規定値でありうる。フィードバックＢｌｕｅｔｏｏｔｈ信号４２４がＢｌｕｅｔｏｏｔｈしきい値４３８を越える場合、スイッチコントローラ４３６は、Ｂｌｕｅｔｏｏｔｈ受信機入力４２０を第２の増幅されたコンポジット信号４３４に接続するために、Ｂｌｕｅｔｏｏｔｈ受信機入力スイッチ４５２を調整しうる。フィードバックＢｌｕｅｔｏｏｔｈ信号４２４がＢｌｕｅｔｏｏｔｈしきい値４３８に満たない場合、スイッチコントローラ４３６は、Ｂｌｕｅｔｏｏｔｈ受信機入力４２０を第１の増幅されたコンポジット信号４２８に接続するために、Ｂｌｕｅｔｏｏｔｈ受信機入力スイッチ４５２を調整しうる。
【００５３】
無線デバイス４０２は無線ローカルエリアネットワーク（ＷＬＡＮ）受信機４１６を含みうる。無線ローカルエリアネットワーク（ＷＬＡＮ）受信機４１６はスイッチ回路４５０から無線ローカルエリアネットワーク（ＷＬＡＮ）受信機入力信号を受信しうる。無線ローカルエリアネットワーク（ＷＬＡＮ）受信機４１６は２.４ＧＨｚ無線ローカルエリアネットワーク（ＷＬＡＮ）ラジオ周波数（ＲＦ）復号器４６０を含みうる。２.４ＧＨｚ無線ローカルエリアネットワーク（ＷＬＡＮ）ラジオ周波数（ＲＦ）復号器４６０は、低雑音増幅器（ＬＮＡ）４５５と、無線ローカルエリアネットワーク（ＷＬＡＮ）ミキサ４５６と、プログラム可能利得増幅器（ＰＧＡ）／フィルタ４５８とを含みうる。ミキサ４５６は無線ローカルエリアネットワーク（ＷＬＡＮ）受信入力信号の所望周波数をダウンコンバートしうる。２.４ＧＨｚ無線ローカルエリアネットワーク（ＷＬＡＮ）ラジオ周波数（ＲＦ）復号器４６０の出力は、無線ローカルエリアネットワーク（ＷＬＡＮ）信号４１８を取得するために、無線ローカルエリアネットワーク（ＷＬＡＮ）ベースバンドフィルタ４６２を通過されうる。無線ローカルエリアネットワーク（ＷＬＡＮ）ベースバンドフィルタ４６２はアナログ／デジタル変換機（ＡＤＣ）４９０を含みうる。無線ローカルエリアネットワーク（ＷＬＡＮ）信号４１８はスイッチコントローラ４３６に対してフィードバックされうる。
【００５４】
無線デバイス４０２はまた、Ｂｌｕｅｔｏｏｔｈ受信機４２２を含みうる。Ｂｌｕｅｔｏｏｔｈ受信機４２２はスイッチ回路４５０からＢｌｕｅｔｏｏｔｈ受信機入力を受信しうる。Ｂｌｕｅｔｏｏｔｈ受信機４２２は２.４ＧＨｚＢｌｕｅｔｏｏｔｈラジオ周波数（ＲＦ）復号器４６４を含みうる。２.４ＧＨｚ Ｂｌｕｅｔｏｏｔｈラジオ周波数（ＲＦ）復号器４６４は、低雑音増幅器（ＬＮＡ）４６６と、Ｂｌｕｅｔｏｏｔｈミキサ４６８と、プログラム可能利得増幅器（ＰＧＡ）／フィルタ４７０とを含みうる。Ｂｌｕｅｔｏｏｔｈ受信機入力信号は、２．４ＧＨｚ Ｂｌｕｅｔｏｏｔｈラジオ周波数（ＲＦ）復号器４６４を通過し、この後Ｂｌｕｅｔｏｏｔｈ信号４２４を取得するために、Ｂｌｕｅｔｏｏｔｈベースバンドフィルタ４７２を用いてフィルタされうる。Ｂｌｕｅｔｏｏｔｈベースバンドフィルタ４７２はアナログ／デジタル変換機（ＡＤＣ）４９１を含みうる。Ｂｌｕｅｔｏｏｔｈ信号４２４はスイッチコントローラ４３６にフィードバックされうる。
【００５５】
図５は、Ｂｌｕｅｔｏｏｔｈ無線信号および無線ローカルエリアネットワーク（ＷＬＡＮ）無線信号を同時に受信するための別の方法５００のフロー図である。方法５００は無線デバイス４０２によって行われうる。例えば、方法５００は無線通信デバイスあるいは基地局によって行われうる。無線デバイス４０２はコンポジット信号４０６を受信しうる（５０２）。コンポジット信号４０６は単一のアンテナ４０４を用いて受信されうる。無線デバイス４０２はコンポジット信号４０６から所望Ｂｌｕｅｔｏｏｔｈ信号４２４を取得するための復号ステップを行う一方で、コンポジット信号４０６から無線ローカルエリアネットワーク（ＷＬＡＮ）信号４１８を取得するための復号ステップを同時に行いうる。言替えると、ステップ５０４−５１６は、ステップ５１８−５２８と並行して行われうる。
【００５６】
無線デバイス４０２はフィードバックＢｌｕｅｔｏｏｔｈ信号４２４をＢｌｕｅｔｏｏｔｈしきい値４３８と比較しうる（５０４）。無線デバイス４０２は、フィードバックＢｌｕｅｔｏｏｔｈ信号４２４とＢｌｕｅｔｏｏｔｈしきい値４３８との比較に基づいてＢｌｕｅｔｏｏｔｈスイッチ構成を調整しうる（５０６）。Ｂｌｕｅｔｏｏｔｈスイッチ構成はスイッチ回路４５０内の１つまたは複数のスイッチの位置を指しうる。例えば、Ｂｌｕｅｔｏｏｔｈスイッチ構成はＢｌｕｅｔｏｏｔｈ受信機入力スイッチ４５２の位置を指しうる。無線デバイス４０２は、Ｂｌｕｅｔｏｏｔｈ受信機入力信号を取得するために、Ｂｌｕｅｔｏｏｔｈスイッチ構成に従ってコンポジット信号４０６を増幅しうる(５０８）。上述のように、Ｂｌｕｅｔｏｏｔｈ受信機入力信号はコンポジット信号４０６の増幅されたバージョンでありうる。
【００５７】
無線デバイス４０２は、低雑音増幅器（ＬＮＡ）４６６を用いてＢｌｕｅｔｏｏｔｈ受信機入力信号を増幅しうる（５１０）。無線デバイス４０２はまた、Ｂｌｕｅｔｏｏｔｈミキサ４６８を用いてＢｌｕｅｔｏｏｔｈ受信機入力信号の周波数をダウンコンバートしうる（５１２）。無線デバイス４０２はまた、Ｂｌｕｅｔｏｏｔｈ信号４２４を取得するために、Ｂｌｕｅｔｏｏｔｈ受信機入力信号をフィルタしうる(５１４)。無線デバイス４０２は、Ｂｌｕｅｔｏｏｔｈ信号４２４をスイッチコントローラ４３６にフィードバックしうる（５１６)。
【００５８】
無線デバイス４０２は、フィードバック無線ローカルエリアネットワーク（ＷＬＡＮ）信号４１８を無線ローカルエリアネットワーク（ＷＬＡＮ）しきい値４４０と比較しうる（５１８）。無線デバイス４０２は、フィードバック無線ローカルエリアネットワーク（ＷＬＡＮ）信号４１８と無線ローカルエリアネットワーク（ＷＬＡＮ）しきい値４４０との比較に基づいて、無線ローカルエリアネットワーク(ＷＬＡＮ）スイッチ構成を調整しうる（５２０）。無線ローカルエリアネットワーク（ＷＬＡＮ）スイッチ構成は、スイッチ回路４５０内の１つまたは複数のスイッチの位置を指しうる。例えば、無線ローカルエリアネットワーク（ＷＬＡＮ）スイッチ構成は無線ローカルエリアネットワーク（ＷＬＡＮ）受信機入力スイッチ４５４の位置を指しうる。無線デバイス４０２は、無線ローカルエリアネットワーク（ＷＬＡＮ）スイッチ受信機入力信号を取得するために、無線ローカルエリアネットワーク（ＷＬＡＮ）スイッチ構成に従ってコンポジット信号４０６を増幅しうる(５２２）。上述のように、無線ローカルエリアネットワーク（ＷＬＡＮ）受信機入力信号はコンポジット信号４０６の増幅されたバージョンでありうる。
【００５９】
無線デバイス４０２は、低雑音増幅器（ＬＮＡ）４５５を用いて無線ローカルエリアネットワーク（ＷＬＡＮ）受信機入力信号を増幅しうる（５２３）。無線デバイス４０２は、無線ローカルエリアネットワーク（ＷＬＡＮ）ミキサ４５６を用いて無線ローカルエリアネットワーク（ＷＬＡＮ）受信機入力信号をダウンコンバートしうる（５２４）。無線デバイス４０２は、無線ローカルエリアネットワーク（ＷＬＡＮ）信号４１８を取得するために、無線ローカルエリアネットワーク（ＷＬＡＮ）受信機入力信号をフィルタしうる（５２６）。無線デバイス４０２は無線ローカルエリアネットワーク（ＷＬＡＮ）信号４１８をスイッチコントローラ４３６にフィードバックしうる（５２８）。
【００６０】
図６は、弱いＢｌｕｅｔｏｏｔｈ信号４２４および弱い無線ローカルエリアネットワーク（ＷＬＡＮ）信号４１８に対応する無線デバイス４０２の第１の状態を例示するブロック図である。図６における無線デバイス４０２は、図４に例示されたものと同じ無線デバイス４０２である。図４と関連して上述したように、無線デバイス４０２はスイッチ回路４５０を含むスイッチング増幅回路４１２を含みうる。スイッチ回路４５０はＢｌｕｅｔｏｏｔｈ受信機入力スイッチ４５２および無線ローカルエリアネットワーク（ＷＬＡＮ）受信機入力スイッチ４５４を含みうる。
【００６１】
Ｂｌｕｅｔｏｏｔｈ受信機入力スイッチ４５２は、Ｂｌｕｅｔｏｏｔｈ受信機入力４２０を第１の増幅されたコンポジット信号４２８あるいは第２の増幅されたコンポジット信号４３４のどちらかに接続しうる。フィードバックＢｌｕｅｔｏｏｔｈ信号４２４はスイッチコントローラ４３６におけるＢｌｕｅｔｏｏｔｈしきい値４３８に満たないことがある。従って、第１の状態において、Ｂｌｕｅｔｏｏｔｈ受信機入力スイッチ４５２はＢｌｕｅｔｏｏｔｈ受信機入力４２０を第１の増幅器４２６の出力に接続しうる。このようにして、Ｂｌｕｅｔｏｏｔｈ受信機４２２は第１の増幅されたコンポジット信号４２８を受信しうる。
【００６２】
無線ローカルエリアネットワーク（ＷＬＡＮ）受信機入力スイッチ４５４は、無線ローカルエリアネットワーク（ＷＬＡＮ）受信機入力４１４を第１の増幅されたコンポジット信号４２８あるいは第２の増幅されたコンポジット信号４３４のどちらかに接続しうる。フィードバック無線ローカルエリアネットワーク（ＷＬＡＮ）信号４１８は、スイッチコントローラ４３６における無線ローカルエリアネットワーク（ＷＬＡＮ）しきい値４４０に満たないことがある。従って、第１の状態において、無線ローカルエリアネットワーク（ＷＬＡＮ）受信機入力スイッチ４５４は無線ローカルエリアネットワーク（ＷＬＡＮ）受信機入力４１４を第１の増幅器４２６の出力に接続しうる。このようにして、無線ローカルエリアネットワーク（ＷＬＡＮ）受信機４１６は、第１の増幅されたコンポジット信号４２８を受信しうる。
【００６３】
Ｂｌｕｅｔｏｏｔｈ受信機入力スイッチ４５２および無線ローカルエリアネットワーク（ＷＬＡＮ）受信機入力スイッチ４５４の位置に起因して、第１の状態における第２の増幅器４３２の出力は何にも接続されない。言替えると、第１の状態において、第２の増幅器４３２は、コンポジット信号４０６を増幅しない。
【００６４】
図７は、強いＢｌｕｅｔｏｏｔｈ信号４２４および強い無線ローカルエリアネットワーク（ＷＬＡＮ）信号４１８に対応する無線デバイス４０２の第２の状態を例示するブロック図である。図７における無線デバイス４０２は、図４に例示されたものと同じ無線デバイス４０２である。フィードバックＢｌｕｅｔｏｏｔｈ信号４２４はスイッチコントローラ４３６におけるＢｌｕｅｔｏｏｔｈしきい値４３８を越えることがある。従って、第２の状態において、Ｂｌｕｅｔｏｏｔｈ受信機入力スイッチ４５２はＢｌｕｅｔｏｏｔｈ受信機入力４２０を第２の増幅器４３４の出力に接続しうる。このようにして、Ｂｌｕｅｔｏｏｔｈ受信機４２２は第２の増幅されたコンポジット信号４３４を受信しうる。
【００６５】
フィードバック無線ローカルエリアネットワーク（ＷＬＡＮ）信号４１８は、無線ローカルエリアネットワーク（ＷＬＡＮ）しきい値４４０を越えることがある。従って、第２の状態において、無線ローカルエリアネットワーク（ＷＬＡＮ）受信機入力スイッチ４５４は、無線ローカルエリアネットワーク（ＷＬＡＮ）受信機入力４１４を第２の増幅器４３４の出力に接続しうる。このようにして、無線ローカルエリアネットワーク（ＷＬＡＮ）受信機４１６は、第２の増幅されたコンポジット信号４３４を受信しうる。
【００６６】
Ｂｌｕｅｔｏｏｔｈ受信機入力スイッチ４５２および無線ローカルエリアネットワーク（ＷＬＡＮ）受信機入力スイッチ４５４の位置に起因して、第２の状態における第１の増幅器４２６の出力は何にも接続されない。言替えると、第２の状態において、第１の増幅器４２６は、コンポジット信号４０６を増幅しない。
【００６７】
第２の増幅されたコンポジット信号４３４の使用（ひいては、二次経路結合器４３０の使用）は、低減された信号がダウンストリーム受信経路を飽和状態にすることがないように、アンテナ４０４によって受信されるコンポジット信号４０６の信号強度を低減しうる。信号がフィルタおよび増幅されるので、信号レベルはアナログ／デジタル（ＡＤＣ）デジタル化に対する最適範囲内にある。
【００６８】
図８は、強いＢｌｕｅｔｏｏｔｈ信号４２４および弱い無線ローカルエリアネットワーク（ＷＬＡＮ）信号４１８に対応する無線デバイス４０２の第３の状態を例示するブロック図である。図８における無線デバイス４０２は、図４に例示されたものと同じ無線デバイス４０２である。フィードバックＢｌｕｅｔｏｏｔｈ信号４２４はスイッチコントローラ４３６におけるＢｌｕｅｔｏｏｔｈしきい値４３８を越えることがある。従って、第３の状態において、Ｂｌｕｅｔｏｏｔｈ受信機入力スイッチ４５２はＢｌｕｅｔｏｏｔｈ受信機入力４２０を第２の増幅器４３２の出力に接続しうる。このようにして、Ｂｌｕｅｔｏｏｔｈ受信機４２２は第２の増幅されたコンポジット信号４３４を受信しうる。
【００６９】
フィードバック無線ローカルエリアネットワーク（ＷＬＡＮ）信号４１８は無線ローカルエリアネットワーク（ＷＬＡＮ）しきい値４４０に満たないことがある。従って、第３の状態において、無線ローカルエリアネットワーク（ＷＬＡＮ）受信機入力スイッチ４５４は無線ローカルエリアネットワーク（ＷＬＡＮ）受信機入力４１４を第１の増幅器４２６の出力に接続しうる。このようにして、無線ローカルエリアネットワーク（ＷＬＡＮ）受信機４１６は第１の増幅されたコンポジット信号４２８を受信しうる。
【００７０】
図９は、弱いＢｌｕｅｔｏｏｔｈ信号４２４および強い無線ローカルエリアネットワーク（ＷＬＡＮ）信号４１８に対応する無線デバイス４０２の第４の状態を例示するブロック図である。図９における無線デバイス４０２は、図４に例示されたものと同じ無線デバイス４０２である。フィードバックＢｌｕｅｔｏｏｔｈ信号４２４は、スイッチコントローラ４３６におけるＢｌｕｅｔｏｏｔｈしきい値４３８に満たないことがある。従って、第４の状態において、Ｂｌｕｅｔｏｏｔｈ受信機入力スイッチ４５２は、Ｂｌｕｅｔｏｏｔｈ受信機入力４２０を第１の増幅器４２６の出力に接続しうる。このようにして、Ｂｌｕｅｔｏｏｔｈ受信機４２２は、第１の増幅されたコンポジット信号４２８を受信しうる。
【００７１】
フィードバック無線ローカルエリアネットワーク（ＷＬＡＮ）信号４１８は無線ローカルエリアネットワーク（ＷＬＡＮ）しきい値４４０を越えることがある。従って、第４の状態において、無線ローカルエリアネットワーク（ＷＬＡＮ）受信機入力スイッチ４５４は無線ローカルエリアネットワーク（ＷＬＡＮ）受信機入力４１４を第２の増幅器４３２の出力に接続しうる。このようにして、無線ローカルエリアネットワーク（ＷＬＡＮ）受信機４１６は第２の増幅されたコンポジット信号４３４を受信しうる。
【００７２】
図１０は、無線通信デバイス１００１内に含まれうる特定のコンポーネントを例示する。無線通信デバイス１００１は、アクセス端末、モバイル局、ユーザ機器などでありうる。無線通信デバイス１００１はプロセッサ１００３を含む。プロセッサ１００３は、汎用の単一あるいはマルチチップマイクロプロセッサ（例えば、ＡＲＭ）、特殊用途向けマイクロプロセッサ（例えば、デジタル信号プロセッサ（ＤＳＰ））、マイクロプロセッサ、プログラム可能ゲートアレイなどでありうる。プロセッサ１００３は中央処理ユニット（ＣＰＵ）と称されうる。単一のプロセッサ１００３のみが、図１０の無線通信デバイス１００１において図示されるが、代替の構成では、複数のプロセッサの組み合わせ（例えば、ＡＲＭおよびＤＳＰ）が使用されうる。
【００７３】
無線通信デバイス１００１はまた、メモリ１００５を含む。メモリ１００５は、電子情報を記憶できる任意の電子コンポーネントでありうる。メモリ１００５は、ランダムアクセスメモリ（ＲＡＭ）、読取専用メモリ（ＲＯＭ）、磁気ディスク記憶媒体、光学記憶媒体、ＲＡＭにおけるフラッシュメモリデバイス、プロセッサと共に含まれるオンボードメモリ、ＥＰＲＯＭメモリ、ＥＥＰＲＯＭメモリ、レジスタ、およびこれらの組み合わせを含むものなどとして実施されうる。
【００７４】
データ１００７および命令群１００９はメモリ１００５に格納されうる。命令群１００９は本明細書に開示される方法を実施するためにプロセッサ１００３によって実行可能でありうる。命令群１００９を実行することは、メモリ１００５内に格納されたデータ１００７を使用することを含みうる。プロセッサ１００３が命令群１００９を実行する場合、命令群１００９ａの様々な部分がプロセッサ１００３にロードされ、データ１００７ａの様々な部分がプロセッサ１００３にロードされうる。
【００７５】
無線通信デバイス１００１はまた、無線通信デバイス１００１への信号の送信および、ここからの信号の受信を可能にするために、送信機１０１１および受信機１０１３を含みうる。送信機１０１１および受信機１０１３は結合されてトランシーバ１０１５と総称されうる。アンテナ１０１７はトランシーバ１０１５に電気的に結合されうる。無線通信デバイス１００１はまた、複数の送信機、複数の受信機、複数のトランシーバ、および／あるいは複数のアンテナを含みうる（図示せず）。
【００７６】
無線通信デバイス１００１の様々なコンポーネントは、１つまたは複数のバスによって一緒に結合されうる。これは、電力バスや、制御信号バスや、状態信号バスや、データバスなどを含みうる。明確化のために、様々なバスがバスシステム１０１９として図１０に例示される。
【００７７】
図１１は、基地局１１３５内に含まれうる特定のコンポーネントを例示する。基地局１１３５はプロセッサ１１０３を含む。プロセッサ１１０３は、汎用の単一あるいはマルチチップマイクロプロセッサ（例えば、ＡＲＭ）、特殊用途向けマイクロプロセッサ（例えば、デジタル信号プロセッサ（ＤＳＰ））、マイクロコントローラ、プログラム可能ゲートアレイなどでありうる。プロセッサ１１０３は中央処理ユニット（ＣＰＵ）と称されうる。単一のプロセッサ１１０３のみが、図１１の基地局１１３５において図示されるが、代替の構成では、複数のプロセッサの組み合わせ（例えば、ＡＲＭおよびＤＳＰ）が使用されうる。
【００７８】
基地局１１３５はまた、メモリ１１０５を含む。メモリ１１０５は電子情報を記憶できる任意の電子コンポーネントでありうる。メモリ１１０５は、ランダムアクセスメモリ（ＲＡＭ）、読取専用メモリ（ＲＯＭ）、磁気ディスク記憶媒体、光学記憶媒体、ＲＡＭにおけるフラッシュメモリデバイス、プロセッサと共に含まれるオンボードメモリ、ＥＰＲＯＭメモリ、ＥＥＰＲＯＭメモリ、レジスタ、およびこれらの組み合わせを含むものなどとして実施されうる。
【００７９】
データ１１０７および命令群１１０９は、メモリ１１０５に格納されうる。命令群１１０９は本明細書に開示される方法を実施するためにプロセッサ１１０３によって実行可能でありうる。命令群１１０９を実行することは、メモリ１１０５内に格納されたデータ１１０７を使用することを含みうる。プロセッサ１１０３が命令群１１０９を実行する場合、命令群１１０９ａの様々な部分はプロセッサ１１０３にロードされ、データ１１０７ａの様々な部分はプロセッサ１１０３にロードされうる。
【００８０】
基地局１１３５はまた、基地局１１３５に対する信号の送信と、そこからの信号の受信を可能にするために、送信機１１１１および受信機１１１３を含みうる。送信機１１１１および受信機１１１３は結合され、トランシーバ１１１５と総称されうる。アンテナ１１１７はトランシーバ１１１５に電気的に結合されうる。基地局１１３５はまた、複数の送信機、複数の受信機、複数のトランシーバ、および／あるいは複数のアンテナを含みうる（図示せず）。
【００８１】
基地局１１３５の様々なコンポーネントは、１つまたは複数のバスによって一緒に結合されうる。これは、電力バス、制御信号バス、状態信号バス、データバスなどを含みうる。明確化のために、様々なバスがバスシステム１１１９として図１１に例示される。
【００８２】
用語「結合される（coupled)」は、多種多様な接続を包含する。例えば、用語「結合される」は、互いに直接的に接続された回路要素と、他の回路要素によって間接的に接続された回路要素とを含むように広く解釈されるものとする。
【００８３】
用語「判定／決定すること(determining）」は、多種多様なアクションを包含する、従って、「判定すること」とは、計算すること、演算すること、処理すること、導出すること、調査すること、調べること（例えば、表、データベース、あるいは別のデータ構造を調べること）、確認することなどを含みうる。また、「判定すること」は、受信すること（例えば、情報を受信すること）や、アクセスすること（例えば、メモリ内のデータにアクセスすること）などを含みうる。また、「判定すること」は、決定すること、選択すること、選ぶこと、確立することなどを含みうる。
【００８４】
フレーズ「〜に基づく」は、そうでないと明確に特定されない限りは、「〜のみに基づく」ことを意味しない。言替えると、フレーズ「〜に基づく」は、「〜のみに基づく」および「少なくとも〜に基づく」の両方を表す。
【００８５】
用語「プロセッサ」は、汎用プロセッサ、中央処理ユニット（ＣＰＵ）、マイクロプロセッサ、デジタル信号プロセッサ（ＤＳＰ）、コントローラ、マイクロコントローラ、ステートマシンなどを包含するように広く解釈されるべきである。いくつかの環境下では、「プロセッサ」は、特定用途向け集積回路（ＡＳＩＣ）、プログラム可能論理デバイス（ＰＬＤ）、フィールドプログラム可能ゲートアレイ（ＦＰＧＡ）などを指しうる。用語「プロセッサ」は、例えば、ＤＳＰおよびマイクロプロセッサの組み合わせ、複数のマイクロプロセッサ、ＤＳＰコアと結合した１つまたは複数のマイクロプロセッサ、もしくは他の任意のこのような構成などの、複数の処理デバイスの組み合わせを指しうる。
【００８６】
用語「メモリ」は、電子情報を記憶できる任意の電子コンポーネントを包含するように広く解釈されるものとする。用語メモリは、ランダムアクセスメモリ（ＲＡＭ）、読取専用メモリ（ＲＯＭ）、非揮発性ランダムアクセスメモリ（ＮＶＲＡＭ）、プログラム可能読取専用メモリ（ＰＲＯＭ）、消去可能プログラム可能読取専用メモリ（ＥＰＲＯＭ）、電子的消去可能ＰＲＯＭ（ＥＥＰＲＯＭ）、フラッシュメモリ、磁気的あるいは光学的データ記憶レジスタなどのような、様々なタイプのプロセッサ可読媒体を指しうる。メモリは、プロセッサがこのメモリから情報を読み取ることができるおよび／あるいはそれに情報を書き込むことができる場合、このプロセッサと電気通信するものと考えられる。プロセッサに統合されたメモリは、このプロセッサと電気通信するものである。
【００８７】
用語「命令群」および「コード」は、任意のタイプのコンピュータ可読ステートメントを含むように広く解釈されるものとする。例えば、用語「命令群」および「コード」は、１つまたは複数のプログラム、ルーティン、サブルーティン、機能、手順などを指しうる。「命令群」および「コード」は、単一のコンピュータ可読ステートメント、あるいは多くのコンピュータ可読ステートメントを備えうる。
【００８８】
本明細書において説明される機能は、ハードウェア、ソフトウェア、ファームウェア、あるいはそれら任意の組み合わせにおいて実施されうる。ソフトウェアにおいて実施される場合、機能は、１つまたは複数の命令群として、コンピュータ可読媒体に格納されうる。用語「コンピュータ可読媒体」あるいは「コンピュータプログラム製品」は、コンピュータによってアクセスされうる任意の利用可能な媒体を指す。限定ではなく、実例として、コンピュータ可読媒体は、ＲＡＭ、ＲＯＭ、ＥＥＰＲＯＭ、ＣＤ−ＲＯＭ、あるいは他の光学ディスク記憶装置、磁気ディスク記憶装置または他の磁気記憶デバイス、あるいは、命令群またはデータ構造の形態で所望プログラムコードを搬送または記憶するために使用されることができ、かつ、コンピュータによってアクセスされることができる他の任意の媒体を備えうる。本明細書で使用されるようなディスク（disk）及びディスク（disc）は、コンパクトディスク（ＣＤ）（disc）、レーザディスク（disc）、光学ディスク(disc)、デジタルバーサタイルディスク（ＤＶＤ）（disk）、フロッピー（登録商標）ディスク（disk）及びブルーレイ（登録商標）ディスク（disc）を含む。ここで、ディスク（disk）は通常、データを磁気的に再生する一方、ディスク（disc）はレーザを用いてデータを光学的に再生する。
【００８９】
ソフトウェアあるいは命令群はまた、伝送媒体によって送信されうる。例えば、同軸ケーブルや、光ファイバケーブルや、ツイストペアや、デジタル加入者回線（ＤＳＬ）や、あるいは、赤外線、ラジオ、及びマイクロ波のような無線技術を使用して、ウェブサイト、サーバ、あるいは他の遠隔ソースからソフトウェアが送信される場合、同軸ケーブル、光ファイバケーブル、ツイストペア、ＤＳＬ、あるいは赤外線、ラジオ、及びマイクロ波のような無線技術は、伝送媒体の定義に含まれる。
【００９０】
本明細書において開示される方法は、説明された方法を達成するための１つまたは複数のステップあるいはアクションを備える。方法ステップおよび／あるいはアクションは、請求項の範囲から逸脱することなくお互いと交換されうる。言替えると、ステップあるいはアクションの特定の順序が、説明された方法の適切な動作のために必要とされない限り、特定のステップおよび／あるいはアクションの順序および／あるいは使用は、特許請求の範囲から逸脱することなく変形されうる。
【００９１】
さらに、図２および図５によって例示されるもののような、本明細書において説明された方法および技術を行うためのモジュールおよび／あるいは他の適切な手段は、ダウンロードされうる、および／あるいは、さもなければデバイスによって取得されうる、ということが理解されるべきである。例えば、デバイスは、本明細書において説明された方法を行う手段の転送を容易にするためにサーバに結合されうる。代替的に、本明細書において説明される様々な方法は、記憶手段（例えば、ランダムアクセスメモリ（ＲＡＭ）、読取専用メモリ（ＲＯＭ）、コンパクトディスク（ＣＤ）あるいはフロッピーディスクのような物理記憶媒体など）によって提供されうる。それにより、デバイスは、このデバイスにそれらの記憶手段を結合あるいは提供する際に様々な方法を取得しうる。さらに、本明細書において説明される方法および技術をデバイスに提供するための他の任意の適切な技術が利用されうる。
【００９２】
特許請求の範囲は、上記に例示された正確な構成およびコンポーネントに限定されるわけではないということが理解されるべきである。様々な変形、変更、バリエーションは、特許請求の範囲から逸脱することなく本明細書において説明されるシステム、方法、および装置の配置、動作、および詳細においてなされうる。
以下に、出願当初の特許請求の範囲に記載された発明を付記する。
［Ｃ１］
コンポジット信号を受信するための無線デバイスであって、
アンテナと、
前記アンテナに結合された第１の増幅器と、
前記アンテナに結合された第２の増幅器と、
第１の受信機と、
第２の受信機と、
前記第１の受信機を、前記第１の増幅器あるいは前記第２の増幅器のどちらかの出力に結合させる第１のスイッチと、
前記第２の受信機を、前記第１の増幅器あるいは前記第２の増幅器のどちらかの出力に結合させる第２のスイッチと
を備える無線デバイス。
［Ｃ２］
前記アンテナと前記第２の増幅器との間の結合器をさらに備え、前記結合器は前記第１の増幅器の性能や感度を実質的に劣化させないいくらかの損失を有する、Ｃ１に記載の無線デバイス。
［Ｃ３］
前記結合器は１つまたは複数の受動デバイスおよび／あるいは能動デバイスを備える、Ｃ２に記載の無線デバイス。
［Ｃ４］
前記受動デバイスおよび／あるいは能動デバイスはコントローラによって再構成可能であり、前記結合器における損失量はプログラム可能である、Ｃ３に記載の無線デバイス。
［Ｃ５］
前記受動デバイスおよび／あるいは能動デバイスは制御信号によって制御され、前記損失量は前記制御信号によってプログラムされる、Ｃ３に記載の無線デバイス。
［Ｃ６］
スイッチコントローラをさらに備え、前記スイッチコントローラは前記第１のスイッチおよび前記第２のスイッチを制御する、Ｃ１に記載の無線デバイス。
［Ｃ７］
前記スイッチコントローラはアナログ部分あるいはベースバンド部分のどちらかの中にある、Ｃ６に記載の無線デバイス。
［Ｃ８］
前記スイッチコントローラはプログラム可能であるＣ６に記載の無線デバイス。
［Ｃ９］
コンポジット信号が、同一信号帯域内において、第１の無線規格に基づく第１の無線信号および第２の無線規格に基づく第２の無線信号を備える、Ｃ８に記載の無線デバイス。
［Ｃ１０］
前記第１の無線信号はＢｌｕｅｔｏｏｔｈ信号であり、前記第２の無線信号は無線ローカルエリアネットワーク（ＷＬＡＮ）信号であり、前記第１の受信機はＷＬＡＮ受信機であり、前記第２の受信機はＢｌｕｅｔｏｏｔｈ受信機である、Ｃ９に記載の無線デバイス。
［Ｃ１１］
前記スイッチコントローラは前記ＷＬＡＮ受信機の出力に結合され、前記ＷＬＡＮ受信機の出力はＷＬＡＮしきい値と比較され、前記第１のスイッチは前記ＷＬＡＮ受信機の出力が前記ＷＬＡＮしきい値に満たない場合に前記ＷＬＡＮ受信機を前記第１の増幅器の出力に結合させる、Ｃ１０に記載の無線デバイス。
［Ｃ１２］
前記スイッチコントローラは前記ＷＬＡＮ受信機の出力に結合され、前記ＷＬＡＮ受信機の出力はＷＬＡＮしきい値と比較され、前記第１のスイッチは前記ＷＬＡＮ受信機の出力が前記ＷＬＡＮしきい値を越える場合に前記ＷＬＡＮ受信機を前記第２の増幅器の出力に結合させる、Ｃ１０に記載の無線デバイス。
［Ｃ１３］
前記スイッチコントローラは前記Ｂｌｕｅｔｏｏｔｈ受信機の出力に結合され、前記Ｂｌｕｅｔｏｏｔｈ受信機の出力はＢｌｕｅｔｏｏｔｈしきい値と比較され、前記第２のスイッチは前記Ｂｌｕｅｔｏｏｔｈ受信機の出力が前記Ｂｌｕｅｔｏｏｔｈしきい値に満たない場合に前記Ｂｌｕｅｔｏｏｔｈ受信機を前記第１の増幅器の出力に結合させる、Ｃ１０に記載の無線デバイス。
［Ｃ１４］
前記スイッチコントローラは前記Ｂｌｕｅｔｏｏｔｈ受信機の出力に結合され、前記Ｂｌｕｅｔｏｏｔｈ受信機の出力はＢｌｕｅｔｏｏｔｈしきい値と比較され、前記第２のスイッチは前記Ｂｌｕｅｔｏｏｔｈ受信機の出力が前記Ｂｌｕｅｔｏｏｔｈしきい値を越える場合に前記Ｂｌｕｅｔｏｏｔｈ受信機を前記第２の増幅器の出力に結合させる、Ｃ１０に記載の無線デバイス。
［Ｃ１５］
前記ＷＬＡＮ受信機は、
低雑音増幅器（ＬＮＡ）、ミキサ、プログラム可能利得増幅器（ＰＧＡ）、およびフィルタを備えるＷＬＡＮ復号器と、
アナログ／デジタル変換機（ＡＤＣ）を備えるベースバンドフィルタと
を備える、Ｃ１０に記載の無線デバイス。
［Ｃ１６］
前記Ｂｌｕｅｔｏｏｔｈ受信機は、
低雑音増幅器（ＬＮＡ）、ミキサ、プログラム可能利得増幅器（ＰＧＡ）、およびフィルタを備えるＢｌｕｅｔｏｏｔｈ復号器と、
アナログ／デジタル変換機（ＡＤＣ）を備えるベースバンドフィルタと
を備える、Ｃ１０に記載の無線デバイス。
［Ｃ１７］
アンテナを用いてコンポジット信号を受信するための方法であって、
前記コンポジット信号の第１の部分のための第１のスイッチ設定を決定することと、
第１の受信機入力信号を取得するために、前記第１のスイッチ設定を用いて前記コンポジット信号を増幅することと、
第１の受信機を用いて前記第１の受信機入力信号から第１の信号を復号することと、
前記コンポジット信号の第２の部分のための第２のスイッチ設定を決定することと、
第２の受信機入力信号を取得するために、前記第２の前記スイッチ設定を用いて前記コンポジット信号を増幅することと、
第２の受信機を用いて前記第２の受信機入力信号から第２の信号を復号することとを備える方法。
［Ｃ１８］
前記コンポジット信号はＢｌｕｅｔｏｏｔｈ信号および無線ローカルエリアネットワーク（ＷＬＡＮ）信号を備え、前記第１の受信機はＷＬＡＮ受信機であり、前記第２の受信機はＢｌｕｅｔｏｏｔｈ受信機である、Ｃ１７に記載の方法。
［Ｃ１９］
前記第１の信号をスイッチコントローラにフィードバックすることをさらに備えるＣ１７に記載の方法。
［Ｃ２０］
前記スイッチコントローラはアナログ部分あるいはベースバンド部分のどちらかの中にある、Ｃ１９に記載の方法。
［Ｃ２１］
前記スイッチコントローラはプログラム可能である、Ｃ１９に記載の方法。
［Ｃ２２］
前記第１のスイッチ設定は無線ローカルエリアネットワーク（ＷＬＡＮ）スイッチ設定であり、前記コンポジット信号の第１の部分は前記コンポジット信号のＷＬＡＮ部分であり、前記第１の受信機入力信号はＷＬＡＮ受信機入力信号であり、前記第２のスイッチ設定はＢｌｕｅｔｏｏｔｈスイッチ設定であり、前記コンポジット信号の第２の部分は前記コンポジット信号のＢｌｕｅｔｏｏｔｈ部分であり、前記第２の受信機入力信号はＢｌｕｅｔｏｏｔｈ受信機入力信号であり、前記第２の信号はＢｌｕｅｔｏｏｔｈ信号である、Ｃ１８に記載の方法。
［Ｃ２３］
前記コンポジット信号を増幅することは、第１の増幅器あるいは第２の増幅器のどちらかを用いて前記コンポジット信号を増幅することを備える、Ｃ２２に記載の方法。
［Ｃ２４］
前記第１の増幅器は前記アンテナに結合され、前記第２の増幅器は前記アンテナに結合される、Ｃ２３に記載の方法。
［Ｃ２５］
前記ＷＬＡＮスイッチ設定は信号経路あるいは方向を制御しうるデバイスの位置を備え、前記デバイスは前記ＷＬＡＮ受信機を前記第１の増幅器あるいは前記第２の増幅器のどちらかの出力に結合させる、Ｃ２３に記載の方法。
［Ｃ２６］
前記デバイスはスイッチであり、ＷＬＡＮスイッチ設定を決定することはフィードバックＷＬＡＮ信号をＷＬＡＮしきい値と比較することを備え、前記フィードバックＷＬＡＮ信号は復号されたＷＬＡＮ信号であり、前記スイッチは前記復号されたＷＬＡＮ信号が前記ＷＬＡＮしきい値に満たない場合にＷＬＡＮ受信機入力を前記第１の増幅器の出力に結合する、Ｃ２５に記載の方法。
［Ｃ２７］
前記デバイスはスイッチであり、ＷＬＡＮスイッチ設定を決定することはフィードバックＷＬＡＮ信号をＷＬＡＮしきい値と比較することを備え、前記フィードバックＷＬＡＮ信号は復号されたＷＬＡＮ信号であり、前記スイッチは前記復号されたＷＬＡＮ信号が前記ＷＬＡＮしきい値を越える場合にＷＬＡＮ受信機入力を前記第２の増幅器の出力に結合する、Ｃ２５に記載の方法。
［Ｃ２８］
前記コンポジット信号のＷＬＡＮ部分は、
前記ＷＬＡＮ受信機入力信号を増幅することと、
前記ＷＬＡＮ受信機入力信号をダウンコンバートすることと、
前記ＷＬＡＮ受信機入力信号をフィルタすることと
を備える、Ｃ２２に記載の方法。
［Ｃ２９］
前記第２のスイッチ設定はＢｌｕｅｔｏｏｔｈスイッチ設定であり、前記Ｂｌｕｅｔｏｏｔｈスイッチ設定は信号経路あるいは方向を制御しうるデバイスの位置を備え、前記デバイスはＢｌｕｅｔｏｏｔｈ受信機を前記第１の増幅器あるいは前記第２の増幅器のどちらかの出力に結合させる、Ｃ２３に記載の方法。
［Ｃ３０］
前記デバイスはスイッチであり、Ｂｌｕｅｔｏｏｔｈスイッチ設定を決定することはフィードバックＢｌｕｅｔｏｏｔｈ信号をＢｌｕｅｔｏｏｔｈしきい値と比較することを備え、前記フィードバックＢｌｕｅｔｏｏｔｈ信号は復号されたＢｌｕｅｔｏｏｔｈ信号であり、前記スイッチは前記復号されたＢｌｕｅｔｏｏｔｈ信号が前記Ｂｌｕｅｔｏｏｔｈしきい値に満たない場合にＢｌｕｅｔｏｏｔｈ受信機入力を前記第１の増幅器の出力に結合させる、Ｃ２９に記載の方法。
［Ｃ３１］
前記デバイスはスイッチであり、Ｂｌｕｅｔｏｏｔｈスイッチ設定を決定することはフィードバックＢｌｕｅｔｏｏｔｈ信号をＢｌｕｅｔｏｏｔｈしきい値と比較することを備え、前記フィードバックＢｌｕｅｔｏｏｔｈ信号は復号されたＢｌｕｅｔｏｏｔｈ信号であり、前記スイッチは前記復号されたＢｌｕｅｔｏｏｔｈ信号が前記Ｂｌｕｅｔｏｏｔｈしきい値を越える場合にＢｌｕｅｔｏｏｔｈ受信機入力を前記第２の増幅器の出力に結合させる、Ｃ２９に記載の方法。
［Ｃ３２］
Ｂｌｕｅｔｏｏｔｈ信号を復号することは、
前記Ｂｌｕｅｔｏｏｔｈ受信機入力信号を増幅することと、
前記Ｂｌｕｅｔｏｏｔｈ受信機入力信号をダウンコンバートすることと、
前記Ｂｌｕｅｔｏｏｔｈ受信機入力信号をフィルタすることと
を備える、Ｃ２２に記載の方法。
［Ｃ３３］
前記Ｂｌｕｅｔｏｏｔｈ信号を信号コントローラにフィードバックすることをさらに備えるＣ２０に記載の方法。
［Ｃ３４］
前記第２の増幅器は結合器によって前記アンテナに結合され、前記結合器は前記第１の増幅器の性能や感度を実質的に劣化させないいくらかの損失を有する、Ｃ２３に記載の方法。
［Ｃ３５］
前記結合器は１つまたは複数の受動デバイスおよび／あるいは能動デバイスを備える、Ｃ３４に記載の方法。
［Ｃ３６］
単一のアンテナを用いてコンポジット信号を受信するための装置であって、
前記コンポジット信号の第１の部分のための第１のスイッチ設定を決定する手段と、
第１の受信機入力信号を取得するために、前記第１のスイッチ設定を用いて前記コンポジット信号を増幅する手段と、
前記第１の受信機入力信号から第１の信号を復号する手段と、
前記コンポジット信号の第２の部分のための第２のスイッチ設定を決定する手段と、
第２の受信機入力信号を取得するために、前記第２のスイッチ設定を用いて前記コンポジット信号を増幅する手段と、
前記第２の受信機入力信号から第２の信号を復号する手段と
を備える装置。
［Ｃ３７］
前記コンポジット信号はＢｌｕｅｔｏｏｔｈ信号および無線ローカルエリアネットワーク（ＷＬＡＮ）信号を備え、前記第１の受信機はＷＬＡＮ受信機であり、前記第２の受信機はＢｌｕｅｔｏｏｔｈ受信機である、Ｃ３６に記載の装置。
［Ｃ３８］
前記第１の信号をスイッチコントローラにフィードバックする手段をさらに備えるＣ３６に記載の装置。
［Ｃ３９］
前記スイッチコントローラはアナログ部分あるいはベースバンド部分のどちらかの中にある、Ｃ３８に記載の装置。
［Ｃ４０］
前記スイッチコントローラはプログラム可能である、Ｃ３８に記載の装置。
［Ｃ４１］
前記第１のスイッチ設定は無線ローカルエリアネットワーク（ＷＬＡＮ）スイッチ設定であり、前記コンポジット信号の第１の部分は前記コンポジット信号のＷＬＡＮ部分であり、前記第１の受信機入力信号はＷＬＡＮ受信機入力信号であり、前記第２のスイッチ設定はＢｌｕｅｔｏｏｔｈスイッチ設定であり、前記コンポジット信号の第２の部分は前記コンポジット信号のＢｌｕｅｔｏｏｔｈ部分であり、前記第２の受信機入力信号はＢｌｕｅｔｏｏｔｈ受信機入力信号であり、前記第２の信号はＢｌｕｅｔｏｏｔｈ信号である、Ｃ３７に記載の装置。
［Ｃ４２］
コンポジット信号を受信するための集積回路であって、
アンテナに結合された第１の増幅器と、
前記アンテナに結合された第２の増幅器と、
第１の受信機と、
第２の受信機と、
前記第１の受信機を前記第１の増幅器あるいは前記第２の増幅器のどちらかの出力に結合させる第１のプログラム可能なスイッチと、
前記第２の受信機を前記第１の増幅器あるいは前記第２の増幅器のどちらかの出力に結合させる第２のプログラム可能なスイッチと
を備える集積回路。
［Ｃ４３］
前記アンテナと前記第２の増幅器との間の結合器をさらに備え、前記結合器は前記第１の増幅器の性能や感度を実質的に劣化させないいくらかの損失を有する、Ｃ４２に記載の集積回路。
［Ｃ４４］
前記結合器は１つまたは複数の受動デバイスおよび／あるいは能動デバイスを備える、Ｃ４３に記載の集積回路。
［Ｃ４５］
前記受動デバイスおよび／あるいは能動デバイスはコントローラによって再構成可能であり、前記結合器における損失量はプログラム可能である、Ｃ４４に記載の集積回路。
［Ｃ４６］
前記受動デバイスおよび／あるいは能動デバイスは制御信号によって制御され、前記損失量は前記制御信号によってプログラムされる、Ｃ４４に記載の集積回路。
［Ｃ４７］
スイッチコントローラをさらに備え、前記スイッチコントローラは前記第１のスイッチおよび第２のスイッチを制御するＣ４２に記載の集積回路。
【図１】
0005619996.tif 000002
【図２】
0005619996.tif 000003
【図３】
0005619996.tif 000004
【図４】
0005619996.tif 000005
【図５】
0005619996.tif 000006
【図６】
0005619996.tif 000007
【図７】
0005619996.tif 000008
【図８】
0005619996.tif 000009
【図９】
0005619996.tif 000010
【図１０】
0005619996.tif 000011
【図１１】
0005619996.tif 000012